(57)【要約】  検体アッセイのための支持体及びその製造方法及び使用法がここに記載されている。
2009522547.tif 000002
【特許請求の範囲】
【請求項１】
基体と基体に直接または間接的に結合された結合ポリマからなり、結合ポリマは生体分子および複数のイオン化可能基に結合できる複数の反応基を有し、イオン化可能基に対する反応基の比は0.5から10であり、結合ポリマは光反応基を含まない、アッセイを実行するための支持体。
【請求項２】
前記基体がプラスチック、重合体若しくは共重合体の物質、セラミック、ガラス、金属、結晶材料、貴金属若しくは半貴金属、金属若しくは非金属の酸化物、無機酸化物、無機窒化物、遷移金属またはこれらいかなるものの組み合わせからもなる請求項1の支持体。
【請求項３】
前記基体が金からなる請求項1の支持体。
【請求項４】
前記基体がTa2O5、Nb2O5、TiO2、Al2O3、SiO2、窒化ケイ素またはそれらの混合物からなる層を有するガラスからなり、当該層はガラスの表面と隣接している請求項1の支持体。
【請求項５】
前記基体がマイクロプレートまたはスライドである請求項1の支持体。
【請求項６】
前記結合ポリマが直接基体に結合された請求項1の支持体。
【請求項７】
前記基体がアミン修飾されている請求項1の支持体。
【請求項８】
前記基体が少なくとも一つのアミノ基からなるアミノシランまたはポリマによって修飾されている請求項1の支持体。
【請求項９】
前記基体がポリリジン、ポリエチレンイミン、ポリ(アリル)アミンまたはシリル化されたポリエチレンイミンによって修飾されている請求項1の支持体。
【請求項１０】
前記結合ポリマが連結層によって間接的に基体に結合された請求項1の支持体。
【請求項１１】
前記連結層が基体の外面に共有結合された請求項10の支持体。
【請求項１２】
前記連結層が静電気的に前記基体の外面に結合された請求項10の支持体。
【請求項１３】
前記連結層が直鎖若しくは分枝鎖アミノシラン、アミノアルコキシシラン、アミノアルキルシラン、アミノアリールシラン、アミノアリールオキシシランまたはそれらの誘導体または塩からなる化合物から誘導される請求項10の支持体。
【請求項１４】
前記連結層が3-アミノプロピルトリメトキシシラン、N-(ベータ-アミノエチル)-3-アミノプロピルトリメトキシシラン、N-(ベータ-アミノエチル)-3-アミノプロピルトリエトキシシラン、N'-(ベータ-アミノエチル)-3-アミノプロピル メトキシシランまたはアミノプロピルシルセスキクオアン（aminopropyl silsesqui xoane）からなる化合物から誘導される請求項10の支持体
【請求項１５】
前記基体がアミノチオールによって修飾されている請求項1の支持体。
【請求項１６】
前記アミノチオールが11-アミノ-1-ウンデカンチオール塩酸塩からなる請求項15の支持体。
【請求項１７】
前記結合ポリマが前記連結層に共有結合された請求項10の支持体。
【請求項１８】
前記結合ポリマが静電気的に連結層に結合された請求項10の支持体。
【請求項１９】
前記反応基が無水物基、エポキシ基、アルデヒド基、活性エステル、イソシアン酸塩、イソチオシアネート、塩化スルホニル、炭酸塩、アリールまたはアルキルハロゲン化物、アジリジンまたはマレイミドからなる請求項1の支持体。
【請求項２０】
前記イオン化可能基が正電荷基に変換されることができる請求項1の支持体。
【請求項２１】
前記イオン化可能基が負電荷基に変換されることができる請求項1の支持体。
【請求項２２】
前記正電荷基がアンモニウム基からなる請求項20の支持体。
【請求項２３】
前記負電荷基がカルボン酸エステル、スルホン酸エステルまたはホスホナート基からなる請求項21の支持体。
【請求項２４】
前記結合ポリマがコポリマからなる請求項1の支持体。
【請求項２５】
前記コポリマが無水マレイン酸および第1のモノマーから誘導される請求項24の支持体。
【請求項２６】
前記第1のモノマーは、スチレン、テトラデセン、オクタデセン、メチルビニルエーテル、メチレングリコールメチルビニルエーテル、ブチルビニルエーテル、ジビニルベンゼン、エチレン、アクリルアミド、ビニルピロリドン、ジメチルアクリルアミド、重合可能オリゴ(エチレングリコール）若しくはオリゴ(エチレン酸化物）、プロピレン、イソブチレン、酢酸ビニル、メタクリル酸エステル、アクリレート、メタクリルアミドまたはそれらのいかなる組み合わせからなる請求項25の支持体。
【請求項２７】
前記結合ポリマは、ポリ(ビニル酢酸塩-無水マレイン酸）、ポリ(スチレン-co-無水マレイン酸）、ポリ(イソブチレン-alt-無水マレイン酸）、ポリ(無水マレイン酸-alt-オクタデセン）、ポリ(無水マレイン酸-alt-テトラデセン）、ポリ(無水マレイン酸-alt-メチルビニルエーテル）、ポリ(トリエチレングリコールメチルビニルエーテル-co-無水マレイン酸）、または、それらのいかなる組み合わせからなる請求項1の支持体。
【請求項２８】
前記結合ポリマは、ポリ(エチレン-alt-無水マレイン酸）からなる請求項1の支持体。
【請求項２９】
一つ以上の生体分子が前記結合ポリマの反応基に結合された請求項1の支持体。
【請求項３０】
前記生体分子が自然型、合成若しくは改質オリゴヌクレオチド、自然又は改質ヌクレオチドまたはヌクレオシド、核酸（デオキシリボ核酸）もしくは（リボゾームリボ核酸）またはそれのフラグメント、自然型または改質アミノ酸からなるペプチド、抗体、ハプテン、生物学的なリガンド、キレート、アプタマ、脂質、サッカライド、小分子、レクチン、改質多糖、合成複合高分子、機能化されたナノ構造、合成ポリマ、蛍光団、発色団または細胞からなる請求項29の支持体。
【請求項３１】
前記生体分子がオリゴヌクレオチドからなる請求項29の支持体。
【請求項３２】
前記生体分子がデオキシリボ核酸またはそれのフラグメントからなる請求項29の支持体。
【請求項３３】
前記生体分子がリボゾームリボ核酸またはそれのフラグメントからなる請求項29の支持体。
【請求項３４】
前記生体分子がタンパク、ペプチドまたはそれらのフラグメントからなる請求項29の支持体。
【請求項３５】
前記生体分子が結合ポリマに共有結合された請求項29の支持体。
【請求項３６】
前記生体分子が静電気的に結合ポリマに結合された請求項29の支持体。
【請求項３７】
複数の生体分子が前記支持体に存在し、前記生体分子は支持体上に孤立的に画定された位置にありアレイをなす請求項1の支持体。
【請求項３８】
前記アレイが少なくとも96の個別に画定された位置からなる請求項37の支持体。
【請求項３９】
前記支持体が少なくとも384の個別に画定された位置からなる請求項37の支持体。
【請求項４０】
イオン化可能基に対する反応基の比は0.5から5.0である請求項1の支持体。
【請求項４１】
イオン化可能基に対する反応基の比は0.67から3.0である請求項1の支持体
【請求項４２】
前記基体が金片からなり、前記結合ポリマはアミノチオールによって間接的に基体に結合されたポリ(エチレン-alt-無水マレイン酸からなり、前記結合ポリマにおけるイオン化可能基に対する反応基の比が0.67から3.0である請求項1の支持体。
【請求項４３】
前記基体がTa2O5、Nb2O5、TiO2、Al2O3、窒化ケイ素、SiO2またはそれらの混合物からなる層を有するガラス基体からなり、前記結合ポリマが連結層によって間接的に基体に結合されたポリ(エチレン-alt-無水マレイン酸からなり、前記連結層がアミノプロピルシランから誘導され、前記結合ポリマにおけるイオン化可能基に対する反応基の比が0.67から3.0である請求項1の支持体。
【請求項４４】
検体からなるサンプルのアッセイを実行するための方法であって、
a.検体からなるサンプルで支持体に接触する工程と、
b.結合した検体を検出する工程とを含み、
前記支持体は基体と基体に直接または間接的に結合した結合ポリマからなり、
前記結合ポリマが生体分子および複数のイオン化可能基に結合できる複数の反応基を有し、イオン化可能基に対する反応基の比は0.5から10.0である方法。
【請求項４５】
前記基体がプラスチック、重合体若しくは共重合体の物質、セラミック、ガラス、金属、結晶材料、貴金属若しくは半貴金属、金属若しくは非金属の酸化物、無機酸化物、無機窒化物、遷移金属またはこれらいかなるものの組み合わせからもなる請求項44の方法。
【請求項４６】
前記基体が金からなる請求項44の方法。
【請求項４７】
前記基体はTa2O5、Nb2O5、TiO2、Al2O3、窒化ケイ素またはそれらの混合物からなる層を有するSiO2からなり、当該層がSiO2の表面と隣接している請求項44の方法。
【請求項４８】
前記基体がマイクロプレートまたはスライドである請求項44の方法。
【請求項４９】
前記結合ポリマが直接基体に結合された請求項44の方法。
【請求項５０】
前記基体がアミン修飾されている請求項44の方法。
【請求項５１】
前記基体が少なくとも一つのアミノ基からなるアミノシランまたはポリマによって修飾されている請求項44の方法。
【請求項５２】
前記基体がポリサイン（polysine）、ポリエチレンイミン、ポリ(アリル)アミンまたはシリル化されたポリエチレンイミンによって修飾されている請求項44の方法。
【請求項５３】
前記結合ポリマが連結層によって間接的に前記基体に結合された請求項44の方法。
【請求項５４】
前記連結層が前記基体の外面に共有結合された請求項53の方法。
【請求項５５】
前記連結層が静電気的に前記基体の外面に結合された請求項53の方法
【請求項５６】
前記連結層が直鎖若しくは分枝鎖アミノシランからなる化合物、アミノアルコキシシラン、アミノアルキルシラン、アミノアリールシラン、アミノアリールオキシシランまたはそれらの誘導体若しくは塩から誘導される請求項53の方法。
【請求項５７】
前記連結層が3-アミノプロピルトリメトキシシラン、N-(ベータ-アミノエチル)-3-アミノプロピルトリメトキシシラン、N-(ベータ-アミノエチル)-3-アミノプロピルトリエトキシシラン、N'-(ベータ-アミノエチル)-3-アミノプロピル メトキシシランまたはアミノプロピルシルセスキクオアン（aminopropyl silsesqui xoane）からなる化合物から誘導される請求項53の方法。
【請求項５８】
前記基体がアミノチオールによって修飾されている請求項44の方法。
【請求項５９】
前記アミノチオールが11-アミノ-1-ウンデカンチオール塩酸塩からなる請求項58の方法。
【請求項６０】
前記結合ポリマが連結層に共有結合された請求項53の方法。
【請求項６１】
前記結合ポリマが静電気的に連結層に結合された請求項53の方法。
【請求項６２】
前記反応基が無水物基、エポキシ基、アルデヒド基、活性エステル、イソシアン酸塩、イソチオシアネート、塩化スルホニル、炭酸塩、アリールまたはアルキルハロゲン化物、アジリジンまたはマレイミドからなる請求項44の方法。
【請求項６３】
前記イオン化可能基が正電荷基に変換されることができる請求項44の方法。
【請求項６４】
前記イオン化可能基が負電荷基に変換されることができる請求項44の方法。
【請求項６５】
前記正電荷基がアンモニウム基からなる請求項63の方法。
【請求項６６】
前記負電荷基がカルボン酸エステル、スルホン酸エステルまたはホスホナート基からなる請求項64の方法。
【請求項６７】
前記結合ポリマがコポリマからなる請求項44の方法。
【請求項６８】
前記コポリマが無水マレイン酸および第1のモノマーから誘導される請求項68の方法。
【請求項６９】
前記第1のモノマーは、スチレン、テトラデセン、オクタデセン、メチルビニルエーテル、メチレングリコールメチルビニルエーテル、ブチルビニルエーテル、ジビニルベンゼン、エチレン、アクリルアミド、ビニルピロリドン、ジメチルアクリルアミド、重合可能オリゴ(エチレングリコール）若しくはオリゴ(エチレン酸化物）、プロピレン、イソブチレン、酢酸ビニル、メタクリル酸エステル、アクリレート、メタクリルアミドまたはそれらのいかなる組み合わせからなる請求項68の方法。
【請求項７０】
前記結合ポリマは、ポリ(ビニル酢酸塩-無水マレイン酸）、ポリ(スチレン-co-無水マレイン酸）、ポリ(イソブチレン-alt-無水マレイン酸）、ポリ(無水マレイン酸-alt-オクタデセン）、ポリ(無水マレイン酸-alt-テトラデセン）、ポリ(無水マレイン酸-alt-メチルビニルエーテル）、ポリ(トリエチレングリコールメチルビニルエーテル-co-無水マレイン酸）、または、それらのいかなる組み合わせからなる請求項44の方法。
【請求項７１】
前記結合ポリマは、ポリ(エチレン-alt-無水マレイン酸）からなる請求項44の方法。
【請求項７２】
一つ以上の前記生体分子が結合ポリマの反応基に結合された請求項44の方法。
【請求項７３】
前記生体分子が自然型、合成若しくは改質オリゴヌクレオチド、自然又は改質ヌクレオチドまたはヌクレオシド、核酸（デオキシリボ核酸）もしくは（リボゾームリボ核酸）またはそれのフラグメント、自然型または改質アミノ酸からなるペプチド、抗体、ハプテン、生物学的なリガンド、キレート、アプタマ、脂質、サッカライド、小分子、レクチン、改質多糖、合成複合高分子、機能化されたナノ構造、合成ポリマ、蛍光団、発色団または細胞からなる請求項72の方法。
【請求項７４】
前記生体分子がオリゴヌクレオチドからなる請求項72の方法。
【請求項７５】
前記生体分子がデオキシリボ核酸またはそれのフラグメントからなる請求項72の方法。
【請求項７６】
前記生体分子がリボゾームリボ核酸またはそれのフラグメントからなる請求項72の方法。
【請求項７７】
前記生体分子がタンパク、ペプチドまたはそれらのフラグメントからなる請求項72の方法。
【請求項７８】
前記生体分子が前記結合ポリマに共有結合された請求項72の方法。
【請求項７９】
前記生体分子が静電気的に前記結合ポリマに結合された請求項72の方法。
【請求項８０】
複数の前記生体分子が支持体に存在し、前記生体分子は支持体上に孤立的に画定された位置にありアレイをなす請求項44の方法。
【請求項８１】
前記アレイが少なくとも96の個別に画定された位置からなる請求項80の方法。
【請求項８２】
前記支持体が少なくとも384の個別に画定された位置からなる請求項80の方法。
【請求項８３】
イオン化可能基に対する反応基の比が0.5から5.0である請求項44の方法。
【請求項８４】
イオン化可能基に対する反応基の比が0.67から3.0である請求項44の方法。
【請求項８５】
前記基体が金片からなり、前記結合ポリマはアミノチオールによって間接的に前記基体に結合されたポリ(エチレン-alt-無水マレイン酸からなり、前記結合ポリマにおけるイオン化可能基に対する反応基の比が0.67から3.0である請求項44の方法。
【請求項８６】
前記基体がTa2O5、Nb2O5、TiO2、Al2O3、窒化ケイ素、SiO2またはそれらの混合物からなる層を有するガラス基体からなり、前記結合ポリマが連結層によって間接的に基体に結合されたポリ(エチレン-alt-無水マレイン酸からなり、前記連結層がアミノプロピルシランから誘導され、前記結合ポリマにおけるイオン化可能基に対する反応基の比が0.67から3.0である請求項44の方法。
【請求項８７】
前記アッセイが高量-流量アッセイである請求項44の方法。
【請求項８８】
前記検体が医薬品、オリゴヌクレオチド、核酸、タンパク、ペプチド、抗体、テスト、ハプテン、サッカライド、脂質、小分子またはそれらの混合物からなる請求項44の方法。
【請求項８９】
前記結合した検体が蛍光によって検出される請求項44の方法。
【請求項９０】
前記結合した検体が屈折率センサー、音響波センサーまたは質量センサー例えば質量スペクトル分析または水晶微量天秤によって検出される請求項44の方法。
【請求項９１】
アッセイを実行する支持体を作る方法であって、基体に直接または間接的に結合された結合ポリマを結合する工程を有し、前記結合ポリマが生体分子および複数のイオン化可能基に結合できる複数の反応基を有し、イオン化可能基に対する反応基の比は0.5から10.0であり、前記結合ポリマは光反応基を含まない方法。
【請求項９２】
前記結合ポリマを基体に結合することに先だって、遮断薬で一つ以上の反応基を機能させない請求項91の方法。
【請求項９３】
前記遮断薬が求核基からなる請求項91の方法。
【請求項９４】
前記遮断薬がアルキルアミン、アルキルヒドロキシアミン、アルコキシアルキルアミン、アルコール、アルキルチオール、水またはH2Sからなる請求項91の方法
【請求項９５】
前記遮断薬が水、アンモニア、2-(2-アミノエトキシ)エチルアルコール、N,N-ジメチルエチレンジアミン、エタノールアミン、エチレンジアミン、ヒドロキシルアミン、メトキシエチルアミン、エチルアミン、イソプロピルアミン、ブチルアミン、プロピルアミン、ヘキシルアミン、2-アミノ-2-メチル-l-プロパノール、2-（2-アミノエチルアミノ）エチルアルコール、2-(2-アミノエトキシ)エタノール、ジメチルエタノールアミン、ジブチルエタノールアミン、1-アミノ-2-プロパノール、ポリエチレングリコール、ポリプロピレングリコール、4,7,10-トリオキサ-l,13 トリデカンジアミン、ポリエチレングリコール若しくはアミン終端ポリエチレングリコール、トリツマ（Trizma）塩酸塩、またはこれらいかなるものの組み合わせからもなる請求項91の方法。
【請求項９６】
前記遮断薬がメトキシエチルアミンからなる請求項91の方法。
【請求項９７】
前記基体がプラスチック、重合体若しくは共重合体の物質、セラミック、ガラス、金属、結晶材料、貴金属若しくは半貴金属、金属若しくは非金属の酸化物、無機酸化物、無機窒化物、遷移金属またはこれらいかなるものの組み合わせからもなる請求項91の方法。
【請求項９８】
前記基体が金からなる請求項91の方法。
【請求項９９】
前記基体がTa2O5、Nb2O5、TiO2、Al2O3、窒化ケイ素またはそれらの混合物からなる層を有するSiO2からなり、層がSiO2の表面と隣接している請求項91の方法。
【請求項１００】
前記結合ポリマは、ポリ(ビニル酢酸塩-無水マレイン酸）、ポリ(スチレン-co-無水マレイン酸）、ポリ(イソブチレン-alt-無水マレイン酸）、ポリ(無水マレイン酸-alt-オクタデセン）、ポリ(無水マレイン酸-alt-テトラデセン）、ポリ(無水マレイン酸-alt-メチルビニルエーテル）、ポリ(トリエチレングリコールメチルビニルエーテル-co-無水マレイン酸）、または、それらのいかなる組み合わせからなる請求項91の方法。
【請求項１０１】
前記結合ポリマは、ポリ(エチレン-alt-無水マレイン酸）からなる請求項91の方法。
【請求項１０２】
イオン化可能基に対する反応基の比が0.5から5.0である請求項91の方法。
【請求項１０３】
イオン化可能基に対する反応基の比が0.67から3.0である請求項91の方法。
【請求項１０４】
前記基体が金片からなり、前記結合ポリマはアミノチオールによって間接的に前記基体に結合されたポリ(エチレン-alt-無水マレイン酸からなり、前記結合ポリマにおけるイオン化可能基に対する反応基の比が0.67から3.0である請求項91の方法。
【請求項１０５】
前記基体に結合することに先だって、前記結合ポリマはメトキシエチルアミンによって遮断される請求項104の方法。
【請求項１０６】
前記基体がTa2O5、Nb2O5、TiO2、Al2O3、窒化ケイ素、SiO2またはそれらの混合物からなる層を有するガラス基体からなり、前記結合ポリマが連結層によって間接的に前記基体に結合されたポリ(エチレン-alt-無水マレイン酸）からなり、前記連結層がアミノプロピルシランから誘導され、前記結合ポリマにおけるイオン化可能基に対する反応基の比が0.67から3.0である請求項91の方法。
【請求項１０７】
前記基体に結合することに先だって、前記結合ポリマはメトキシエチルアミンによって遮断される請求項106の方法。
【請求項１０８】
アッセイを実行することに支持体を作る方法であって、
a.結合ポリマが生体分子に結合できる複数の反応基を有し、前記結合ポリマは光反応基を含まず、前記方法は、基体に直接または間接的に結合された前記結合ポリマを結合する工程と、
b.反応基をイオン化可能基に変え、前記イオン化可能基に対する反応基の比が0.5から10.0までとなるようにする工程と、を有することを特徴とする方法。
【請求項１０９】
請求項44の方法によって製造する支持体。
【請求項１１０】
請求項108の方法によって製造する支持体。
【発明の詳細な説明】
【関連出願の相互参照】
【０００１】
本出願は、２００５年１２月２９日に出願された米国出願番号６０／７５４，７４７（発明の名称「検体アッセイのための支持体及びその製造方法及び使用方法」）の（優先権の）利益を主張し、当該米国特許出願の内容は本願明細書に組み込まれたものとする。
【背景技術】
【０００２】
標識化独立検出基盤（ｌａｂｅｌ  ｉｎｄｅｐｅｎｄｅｎｔ  ｄｅｔｅｃｔｉｏｎ）（ＬＩＤ platform）（例えば、表面プラズモン共鳴（ＳＰＲ）又は共鳴導波路格子検出器）は一般的に二つの手順を使って行われる：（i）センサー表面上の結合パートナー（例えば、たんぱく質）のうちの一つの固定化；及び（ii）不溶化タンパク質に対するリガンド（例えば、薬、プロテイン、オリゴヌクレオチド、など）の結合。伝統的に、表面に対する生体分子のカップリング（結合）は反応性のＮ−ヒドロキシスクシンイミド（Ｎ−ヒドロキシこはく酸イミド）（ＮＨＳ）エステル類に対して表面上のカルボン酸基の活性化を伴う。反応性のＮ−ヒドロキシスクシンイミド（ＮＨＳ）エステル類は次に影響力のあるプロテイン上でアミノ基と結合する。前記方法は、バイオコア、アフィニティバイオセンサー、及び各ＬＩＤ基盤（プラットフォーム）に対する人工検出器によってうまく使用され商品化されている。効果的である一方、活性化ステップは時間がかかり、処理及び若干の毒性のある化学物質の使用を含む。
【０００３】
前記のアプローチの代わりとなる手段は、“あらかじめ活性化された”化学反応を伴う。例えば、アルデヒド基を示す表面は生体分子を結合するために使われている。しかしながら、カップリングしたあと削減したステップは結果として生じるシッフ塩基を固定するために要求された。エポキシド及びイソシアネート官能性を有する表面もまた使用される；しかしながら、エポキシド基は比較的反応するのが遅く、一方、イソシアネート基は極めて反応性が高く保存安定問題を示す。前記問題のために、ＬＩＤプラットフォームについてのあらかじめ活性化された化学反応の使用の報告書はわずかしかない。実際、最も一般的なＬＩＤプラットフォームを提供する３つの会社、バイオコア、アフィニティバイオセンサー、ＡＳＩでも、あらかじめ活性化された化学反応を有するセンサーを提供していない。
【０００４】
無水マレイン酸はアミノ基などのような求核試薬とすぐに反応する。無水マレイン酸共重合体の表面の修飾は記述されている小分子、ＤＮＡ、糖、及びペプチドの固定化のために積層するけれども、無水マレイン酸の加水分解安定性はかなり弱い、この理由のために、無水マレイン酸は広い範囲にわたり使用されていない。無水マレイン酸の加水分解安定性は、疎水性側の鎖（例えば、スチレン）と重合するとき高められることができる；しかしながら、これは表面への生体分子の非特異的結合を有する問題を引き起こす。一方、これは質量分析などのようないくつかの用途に対して利点で有りうるが、ＬＩＤに対しては問題がある。
【０００５】
一般に生物学特異性に対する厳しい必要条件を必要とするＬＩＤ検出が有するユニークな問題がある。分析物溶液中の“ブロッキング薬剤”（例えば、ウシ血清アルブミン、ＢＳＡ）の結合は好ましくない。なぜなら、特異的（分析物に起因する）及び非特異的（ブロッキング薬剤に起因する）結合の両方は界面の屈折率における変化に寄与する従って区別ができない。前記の問題は、複合サンプルが使われるとき又は分析物が不純物であるときだけ悪影響を及ぼす。例えば、プロテインなどの生物分子の固定化についての無水物に対する懸念は剰余の負電荷の形成による非特異的結合及びポリマ内の他の基（例えば、スチレン、エチレン、メチルビニルエーテル）の影響力である。これらの理由のために、ＬＩＤに無水物ポリマを使用することの実行可能性は潜在的可能性である。
【０００６】
本明細書に記載されている支持体及び方法は多くの利点を提供する。例えば、支持体は活性化されることを必要としていない。支持体は使用者の時間、費用、及び複雑性を省く。本明細書に記載されている支持体及び方法は、多量の生物分子の担持を可能にし、前記支持体及び方法は、分析物の検出に関してより良い感度をもたらす。また、支持体を作りだすための方法は高容量の支持体の製造を可能にする。一般に、支持体は安定でありほとんど結合能力（バインディング能力）を失うことなく延長した期間（〜６か月）保存されることができる。さらに、コートされた基体は酸性条件下加水分解するのが遅く、酸性条件下は例えば無水物ポリマなどのようなポリマに対する先行技術の方法を使用することが記載されていない条件下で様々な生物分子の結合を可能にする。最後に、支持体及び方法もまた、タイムリーな及び経済的な方法において、アレイのシグナル強度、感度及びアッセイの品質を増加し、さらに、アッセイの特異性を向上させる。
【発明の開示】
【０００７】
検体アッセイのための支持体及びその製造方法及び使用方法が、本明細書に記載されている。本明細書に記載されている材料、方法、及び論文の利点は次の記述の一部分において説明されており、又は以下に記載されている態様の実施によって確認することができる。以下に記載されている利点は、添付の特許請求の範囲において特に指摘されている要素及び組み合わせの手段によって理解及び実現されることができる。前記の一般の記述及び次の詳細な説明は典型的なもの及び説明のためのみのものであり、限定的なものではない。
【０００８】
添付の図面は本明細書に組み込まれており、本明細書の一部となり、以下に記載された図解されているいくつかの態様を構成する。これらの図面は本明細書に記載されている原料、論文、及び方法の典型的な実施例しか表現しておらず、それゆえ、本明細書の範囲の制限は考慮されない。
【発明を実施するための最良の形態】
【０００９】
本材料、論文、及び／又は方法が開示又は記述される前に、以下に記述されている態様は特定の合成物、合成法、又は使用に限定されるものではなく、それ自体、当然のことながら変化するということが理解されるべきである。本明細書で使用されている専門用語は特定の態様を記述する目的のためのものであり、制限することを意味するものではないということも理解されるべきである。
【００１０】
本明細書において及び以下の特許請求の範囲において、引例は次の意味を有するように定義されるべきである多くの条件に合わせて作製されることができる。
【００１１】
本明細書の至るところに、文脈が他の点で要求しない限り、「含む」、「有する」又は「からなる」のような表現は規定・所定の正数又はステップ又は正数の群又は複数のステップを含むことを意味することを理解されるべきであるが、任意の他の正数又はステップ又は正数又はステップの群を排除するものではない。
【００１２】
本明細書及び添付の特許請求の範囲において使われるように、単数形の表現や「前記」、「上記」という表現は文脈が明確に指示しない限り複数の指示対象を含む。例えば、「薬学的キャリア」は、二つ以上のそのようなキャリア（の混合物）も含む。
【００１３】
任意（の）、随意（の）、任意に、随意に、という表現は後に記述された事象又は状況が生ずることも有り得るし、生じないことも有り得ることを意味し、本明細書ではそのような事象又は状況が生じる場合（あるいは生じない場合）を適宜説明している。
【００１４】
本明細書において、範囲は、「約」という言葉を付けてその後に数値を記載して示した値から「約」という言葉を付けてその後に数値を記載して示した値までを意味するか、「約」という言葉を付けてその後に数値を記載して示した値から始まる範囲を意味するか、「約」という言葉を付けてその後に数値を記載して示した値で終わる範囲を意味する。そのような範囲が提示された場合、「約」を除いた数値で考えることも意味している。また、「略」や「およそ」等の用語の後に数値が記載される場合、そのような用語を除いた数値で考えることも意味している。範囲の始点及び終点（エンドポイント：端の点）は、それぞれ他方の点（終点及び始点）との関連において重要な意味を持ち、且つ、当該他方の点（終点及び始点）とは独立した意味を有している。本明細書においては多くの数値が記載されているが、当該数値に「約」等の表現が付いていなくても、その数値は「約」が付いている数値と「約」が付いていない数値を含んでいると考える。例えば、「１０」という数値が記載されている場合、「１０」そのものと「約１０」が記載されていると考える。また数値が提示されている場合、当業者が認識できる範囲を限度に、当該数値以下のものも含み、当該数値以上のものも含み、ある程度の値（可能な値）同士の間の範囲も含む。例えば「１０」という数値が記載されている場合、１０以下（のある程度の範囲）と１０以上（のある程度の範囲）も記載されていると考える。本明細書及び図面においてデータが種々の形式・単位・フォーマットで表示されており、データは始点や終点を示したり、始点から終点までの範囲を示している。例えば、「１０」というデータと「１５」というデータが記載されている場合、これら数値より大きいもの、これら数値以上のもの、これら数値より小さいもの、これら数値以下のもの、及びこれら数値そのものが記載されていると考えると共に、これら数値同士の間の範囲（１０から１５まで）も記載されていると考える。さらに、２つの値の間の一単位（複数ある場合は、すべての一単位それぞれ）も記載されていると考える。例えば、「１０」と「１５」が記載されている場合、それらの間の一単位である「１１」、「１２」、「１３」、「１４」も全て記載されていると考える。
【００１５】
「接触する（こと）」は、少なくとも1つの物質が他の物質に近接して物理的に接触することを意味する。
【００１６】
本明細書で使用される「付着した」という用語は、二つの成分又は合成物の間の任意の化学的相互作用である。形成された化学的相互作用のタイプは、選択された出発原料又は反応条件に依存して変化することができる。本明細書に記載されている付着の例は、これらに限定されないが、共有結合、静電気、イオン、水素、又は疎水性結合を含む。
【００１７】
本明細書には、本発明の方法により作られる物（製品）及び合成物・混合物に使用することができる（またはそれらと共に使用できるか、それらを作るために使用できる）化合物、混合物、合成物、構成物、成分及び構成要素が開示されている。これら及びその他の材料は本明細書に開示されており、当該材料の組み合わせ（全部または一部の組み合わせ）、相互作用結果物、群などが記載されている場合、個々の材料や組み合わされた材料が明記されていなかったりその化合物の置換・変更が明記されていないとしても、当該明記されていない材料等も本明細書に記載されているものとする。例えば、多くの異なるポリマ及び生体分子が開示・説明されている場合、当該ポリマ及び生体分子の組み合わせや置換の全ては本明細書に記載されたものとする（但し、それを否定する説明がある場合を除く）。従って、分子Ａ、Ｂ、Ｃのクラスと分子Ｄ、Ｅ、Ｆのクラスと組み合わせ分子Ａ−Ｄとが記載されている場合、たとえ個々の分子が記載されていなくても個々の分子及びそれらの組み合わせは記載されているものとする。つまり、上記の例の場合、Ａ、Ｂ、ＣとＤ、Ｅ、Ｆが開示され且つＡ−Ｄの組み合わせが開示されているので、Ａ−Ｅの組み合わせ、Ａ−Ｆの組み合わせ、Ｂ−Ｄの組み合わせ、Ｂ−Ｅの組み合わせ、Ｂ−Ｆの組み合わせ、Ｃ−Ｄの組み合わせ、Ｃ−Ｅの組み合わせ及びＣ−Ｆの組み合わせは記載されていると考える。同様に、これらのサブセット（部分組み合わせ）または組み合わせも記載されていると考える。つまり、上記の例の場合、例えば、Ａ−Ｅ、Ｂ−Ｆ、Ｃ−Ｅも記載されていると考える（やはり、Ａ、Ｂ、ＣとＤ、Ｅ、Ｆが開示され且つＡ−Ｄの組み合わせが開示されているので）。この考え方は本明細書の全ての記載に適用される。例えば、開示された合成物や混合物を製造したり使用したりする方法の各工程（ステップ）に適用される。従って、追加できる工程（ステップ）がある場合、各追加工程は本明細書に開示された実施形態・実施例またはこれらの組み合わせにおいて実施することができるし、それらは本発明の範囲内のものと考えられる。  
【００１８】
Ｉ．支持体及びその製造方法
【００１９】
アッセイを行うために有益である支持体が本明細書に記載されている。1つの態様において、アッセイを行うための支持体が本明細書に記載されており、基体及び基体に直接又は間接的に付着した結合ポリマ（結合高分子、バインディングポリマ）を含み、結合高分子は生体分子及び複数のイオン性基に付着することができる複数の反応基を有し、イオン性基に対する反応基の比は０．５から１０であり、結合高分子は光反応基を含まない。
【００２０】
アッセイを行うための支持体の製造方法もまた本明細書に記載されており、方法は基体に直接又は間接的に付着した結合高分子に付着することを含み、結合高分子は生体分子及び複数のイオン性基に付着することができる複数の反応基を有する。イオン性基に対する反応基の比は０．５から１０．０であり、結合高分子は光反応基を含まない。  
【００２１】
他の態様において、アッセイを行うための支持体を作成するための方法は本明細書に記載されており、以下の工程（ステップ）ａとｂを含む。
【００２２】
ａ．基体に直接又は間接的に付着される結合高分子に付着する工程。結合高分子は複数の生体分子に付着することができる反応基を有しており、結合高分子は光反応基を含まない。
【００２３】
ｂ．反応基をイオン性基に変える工程。その結果、イオン性基に対する反応基の比は０．５から１０．０となる。
【００２４】
ａ．基体
【００２５】
本明細書で使用されることができる基体は、これらに限定されないが、マイクロプレート、スライド、又は結合高分子に付着することができる任意の他の原料を含む。1つの態様において、基体がマイクロプレートのとき、ウェルの数及びウェルの質量は分析の規模と範囲に依存して変化する。本明細書において有益である基体の他の例は、これらに限定されないが、３８４ウェルマイクロプレートのような細胞培養表面、９６ウェルマイクロプレート、２４ウェルディッシュ、８ウェルディッシュ、１０ｃｍディッシュ、又はＴ７５フラスコを含む。  
【００２６】
光学又は電気に関する検出用途に対して、基体は、電気伝導、半導体、又は絶縁体と同様に透明、不浸透性、又は反射性を持ち得る。生物学的用途において、基体原料は多孔性でも非多孔性でもあり得、有機物原料又は無機物原料の両方から選択されることができる。  
【００２７】
さらなる態様において、基体はプラスチィク、重合体又は共重合体の基体、セラミック、ガス、金属、結晶構造の原料、貴金属又は半貴金属、金属又は非金属酸化物、無機酸化物、無機窒化物、遷移金属、又はその任意の組合せを含む。また、基体は、任意の検出デバイス内に設置されることができるように構成される。1つの態様において、センサーは基体の底／底面に統合され、後の検出に使われる。これらのセンサーはこれらに限定されないが、光回折格子、プリズム、電極、及び石英結晶微量天秤が含まれる。検出方法は、蛍光発光、リン光、ケミルミネッセンス、屈折率、質量、電気化学を含むこともあり得る。1つの態様において、基体は共鳴導波管回折格子センサーである。  
【００２８】
さらなる態様において、基体は無機物から構成されることができる。無機物材料の例は、これらに限定されないが、金属、半導体原料、ガラス、及びセラミック原料が含まれる。基体原料として使われることのできる金属の例は、これらに限定されないが、金、白金、ニッケル、パラジウム、アルミニウム、クロム、スチィール、及びガリウムヒ素が含まれる。基体原料として使われる半導体原料は、これらに限定されないが、シリコン及びゲルマニウムがある。基体原料として使われるガラス及びセラミック原料は、これらに限定されないが、石英、ガラス、磁器、アルカリ性土壌アルミノボロシリケートガラス及び他の混合された酸化物が含まれることができる。他の態様において、基体は、例えば、金のセンサーチィップなどのような金で作られることができる。
【００２９】
さらなる態様において、基体は、浸透性、無機物層を包含する。任意の浸透性基体及び米国特許第６、７５０、０２３号に開示されているような基体を製造する方法は、その全体を参照することによって取り込まれ、本明細書において使用されることができる。１つの態様において、基体上の無機物層はガラス又は金属酸化物を包含する。他の態様において、無機物層は、シリケート，アルミノシリケート，ボロアルミノシリケート（boroalumino-silicate），ボロシリケートガラス（ほう珪酸ガラス），又はそれらの組合せを含む。さらなる態様において、無機物層は、ＴｉＯ2，ＳｉＯ２，Ａｌ２Ｏ３，Ｃｒ２Ｏ３，ＣｕＯ，ＺｎＯ，Ｔａ２Ｏ５，Ｎｂ２Ｏ５，ＺｎＯ２，又はそれらの組合せを包含する。他の態様において、基体は、Ｔａ２Ｏ５，Ｎｂ２Ｏ５，ＴｉＯ2，Ａｌ２Ｏ３、シリコン窒化物，又はその混合物を含む層を有するＳｉＯ２を包含し、その中で、前記層はＳｉＯ２の表面に近接している。窒化ケイ素はＳｉＮＸの化学式によって表わされ、前記ケイ素及び窒素の化学両論は変化することができる。  
【００３０】
さらなる態様において、基体は有機物質から生成されることができる。本明細書における有益な有機物質はそれらの寸法安定性及び溶媒に対する抵抗力によってポリマ材料から作られることができる。有機物質の例は、これらに限定されないが、ポリエチレンテレフタレート，及びポリブチレンテレフタレート；ポリビニルクロリド；ポリビニリデンフルオリド；ポリテトラフルオロエチレン；ポリ炭酸塩；ポリアミド；ポリ（メタ）アクリレート；ポリスチレン，ポリエチレン；又はエチレン／ビニル酢酸塩  コポリマなどのようなポリエステル類を含む。
【００３１】
さらなる態様において、基体は、一つ以上の生体分子を付着することができる群を有する原料から生成されることができる。例えば基体は本明細書に記載されている一つ以上の結合高分子（結合ポリマ）から生成されることができ、任意の所望の形に成形されることができる。この態様において、生体分子及び他の組成物は直接基体に付着される。
【００３２】
ｂ．結合高分子
【００３３】
様々な態様において、生体分子を基体に結合することができる一つ以上の反応基を含む結合高分子は、直接又は間接的に基体に付着することができる。結合高分子上の「反応基」は結合高分子の生体分子に対する付着を可能にする。反応基はまた、基体に対する結合高分子の付着を促進するころができる。さらなる態様において、結合高分子は共有結合及び／又は静電的に基体に付着されることができる。結合高分子は一つ以上の異なる反応基を有するころができる。二つ以上の異なる結合高分子もまた基体に付着されることができると考えられている。
【００３４】
様々な態様において、反応基は例えばアミン又はチオールのような求核試薬を有する二重結合を形成することができる。アミン又はチオールは、基体（すなわち、連結層）の表面に付着された生体分子又は分子から生じ、基体に結合高分子を間接的に付着するために使われる。反応基は、これらに限定はされないが、無水物基、エポキシ基、アルデヒド基、活性化エステル（例えば、脱離基を有するエステルであるヒドロキシこはく酸イミド（ＮＨＳ））、イソシアネート，イソチオシアネート，スルホン酸クロリド，炭酸塩，アリール又はアルキルハロゲン化物，アジリジン，又はマレイミドを含む。二つ以上の異なる反応基は結合高分子上に存在することができる。
【００３５】
結合高分子（結合ポリマ）には、複数のイオン化可能基も存在している。本明明細書に定義されているイオン化可能基は、特定の反応条件下において荷電（すなわち、イオンの）群に変化させられ得る群である。例えば、塩基を用いて酸を処理することにより対応するカルボン酸（荷電群）に変化されることができる。荷電群は、正電荷でも負電荷でもあり得る。正電荷の荷電群はカルボン酸塩、スルホン酸塩、ホスホン酸塩基群を含む。二つ以上の異なるイオン化可能基は結合高分子上に存在することができると考えられる。
【００３６】
結合高分子は、結合高分子が基体に付着するために使われる技術に応じて、水溶性又は不溶性であり得る。結合高分子は、線形又は非線形の両方であり得る。例えば、結合高分子が非線形のとき、結合高分子は、分岐、超分岐、交差結合、又は樹枝状高分子であり得る。結合高分子は単独重合体又は共重合体であり得る。
【００３７】
一つの態様において、結合高分子は無水マレイン酸及び第一モノマーから得られた共重合体を含む。この態様において、結合高分子における無水マレイン酸の量は、第一モノマーの化学量論（すなわち、モル濃度の量）により、５％から５０％、５％から４５％、５％から４０％、５％から３５％、５％から３０％、５％から２５％、１０％から５０％、１５％から５０％、２０％から５０％、２５％から５０％、又は３０％から５０％である。１つの態様において、選択された第一モノマは結合高分子（結合ポリマ）の無水マレイン酸グループの安定性を改善する。他の態様において、第一モノマは基板に対する生体分子の非特異的（性）結合を低減する。さらに別の態様（特徴）において、結合高分子（結合ポリマ）の無水マレイン酸の量は第一モノマの化学量論（モル濃度）で約５０％である。他の態様（特徴）において、第一モノマは、スチレン、テトラデセン、オクタデセン、メチルビニルエーテル、トリエチレングリコールメチルビニルエーテル、ブチルビニルエーテル、ジビニルベンゼン、エチレン、ジメチルアクリルアミド、ビニルピロリドン、重合化可能オリゴ（エチレングリコール）、重合化可能オリゴ（エチレンオキサイド）、プロピレン、イソブチレン、ビニルアセテート、メタクリル酸塩、アクリル酸塩、アクリルアミド、メタアクリルアミド、またはこれらの組み合わせを含む。
【００３８】
一つの態様において、結合高分子は、ポリ（ビニル酢酸塩−無水マレイン酸），ポリ（スチレン−ｃｏ−無水マレイン酸），ポリ（イソブチレン−ａｌｔ−無水マレイン酸），ポリ（無水マレイン酸−ａｌｔ−１−オクタデセン），ポリ（無水マレイン酸−ａｌｔ−１−テトラデセン），ポリ（無水マレイン酸−ａｌｔ−メチルビニルエーテル），ポリ（トリエチレングリコールメチルビニルエーテル−ｃｏ−無水マレイン酸），ポリ（エチレン−ａｌｔ−無水マレイン酸），又は、それらの組み合わせを含む。  
【００３９】
本明細書における有益な結合高分子は、光反応基を含まない。光反応基は、例えば、同じような又は異なる分子によって提供されるように、近接した化学構造に結合する結果得られた二重結合を有する活性化種の生成を受ける特異的な提供された外部刺激に影響される。光反応基は分子における原子の基であり、分子はそれら二重結合を所有し、二重結合は蓄電条件下で変化しない；しかしながら、他の分子を有する共有結合から外部エネルギー源によって活性化される。光反応基は、フリーラジカル又は特にナイトレン、炭素、及び電磁エネルギーが吸収したケトンの励起状態のような活性種を生成する。
【００４０】
Ｃ．イオン化可能基に対する反応基の比
【００４１】
一つの態様において、イオン化可能基に対する反応基の比は０．５から５．０である。他の態様において、より低いエンドポイント比は、０．５、０．６、０．７、０、８、０、９、１．０、１，５、２，０、２．５、３．０、３．５、４．５、又は５．０であり、より高いエンドポイントは、２．０、２．５、３．０、３．５、４．０、４．５、５．０、５．５、６．０、６．５、７．０、８．０、９．０、９．５、又は１０．０であり任意のより低い及びより高いエンドポイントは、前記比率の範囲を形成することができる。他の態様において、イオン化可能基に対する反応基の比は、０．５から９．０、０．５から８．０、０．５から７．０、０．５から６．０，０．５から０．５、０．５から４．０、０．５から３．０、０．６から３．０、０．６５から３．０、０．６７から３．０である。
【００４２】
結合高分子上に存在する反応基及びイオン化可能基の構造及び数は多くの方法でコントロールされることができる。1つの態様において、結合高分子はイオン化可能基を有する反応基及びモノマーを有しているモノマーから合成されることができる。この態様において、選択されたモノマーの化学量論は反応基及びイオン化可能基の比をコントロールできる。他の態様において、まさに反応基を有するポリマは処理され、反応基のいくつかは、基体に結合高分子が結合する前にイオン化可能基に置換される。出発ポリマは市販で入手することができ又は技術的に周知の技術を使うことにより合成されることができる。他の態様において、ポリマは基体に付着することができ、付着されたポリマは、反応基とイオン化可能基を塗布するために様々な試薬で処理され、反応基はイオン化可能基に置換される。他の態様において、反応基を有する結合高分子は基体に付着することができ、基体は反応基と反応しイオン化可能基を生成する。
【００４３】
例えば、図１を参照すると、ポリマが繰り返し単位のＲ‘−無水マレイン酸を有するとき、Ｒ’は例えばメチルビニルエーテル，ブチルビニルエーテル，トリエチレングリコールビニルエーテル，（メタ）アクリレート類，（メタ）アクリルアミド，ビニルピロリジノンなどのようなエチレン，プロピレン，イソブチレン，オクタデセン，テトラデセン，ビニル酢酸塩，スチレン，ビニルエーテル類などのような無水マレイン酸と共重合することができるモノマーの中から選択された不飽和モノマーの残留物であり得る。重合可能  オリゴ（エチレングリコール）又はオリゴ（エチレン酸化物）はＷ−Ｒと反応し、Ｗは例えばＮＨ２、ＯＨ、又はＳＨなどのような求核基であり、Ｒは，ジメチルアミノプロピル又はジエチルアミノプロピル，無水物環開（anhydride ring-opens）のような少なくとも６以下のオリゴ（エチレン酸化物）又はオリゴ（エチレングリコール）、又はジアルキルアミンを有する水素又は置換又は非置換アルキル基（直鎖又は分岐鎖）であり得る。このステップは予めブロックするとして参照される。予めブロックされたポリマは、次に基体の表面に塗布されることができる。図１を参照すると、基体は求核基Ｚを有し、Ｚは、例えば、ＮＨ２、ＯＨ、又はＳＨであり得、これらの基は、予めプリブロックされたポリマと基体との間に二重結合を形成するために予めブロックされたポリマ上に存在する無水マレイン酸基と反応することができる。
【００４４】
イオン化可能基に対する反応基の比は特定の量の試薬を使うことによって、コントロールされることができる。結合高分子（例えば、疎水性）の特性は、結合高分子（例えば、疎水性モノマーの選択）を準備するために使われる出発原料をコントロールすることによって、又は誘導化剤／ブロッキング薬剤の適切な選択により必要に応じて変化させられ得る。特定の態様において、イオン化可能基に対する反応性基の比は一つ以上の反応基が非活性基に変えられることによってコントロールされることができる。さらなる態様において、結合高分子上に存在する約１０％から約５０％の反応基はブロックされ又は不活性化されている。本明細書で使用されている「ブロック」という用語は、基体に結合高分子が付着する前のイオン化可能基への変換上に存在する反応基の変化である。出発ポリマは市販で入手でき又は技術的に周知の技術を使って合成されることができる。他の態様において、ポリマは基体に付着することができ、付着されたポリマは反応基とイオン化可能基の両方を加えるために様々な試薬を用いて処理され、反応基をイオン化可能基に変えるために加えられる。他の態様において、反応基を有する結合高分子は基体に付着され、基体は反応基と反応し、イオン化可能基を生成する。
【００４５】
例えば、図１を参照すると、ポリマがＲ’−無水マレイン酸の繰り返し単位を有するとき、Ｒ’は、例えば、メチルビニルエーテル，ブチルビニルエーテル，トリエチレングリコールビニルエーテル（メタ）アクリレート類，（メタ）アクリルアミド，ビニルピロリジノンなどのようなエチレン，プロピレン，イソブチレン，オクタデセン，テトラデセン，ビニル酢酸塩，スチレン，ビニルエーテル類などのような無水マレイン酸を用いて共重合化することができ、重合可能  オリゴ（エチレングリコール）又はオリゴ（エチレン酸化物）は、Ｗ−Ｒと反応され、Ｗは例えば、ＮＨ２、ＯＨなどのような求核基であり、ＳＨ又はＲは６以下のオリゴ（エチレン酸化物）又はオリゴ（エチレングリコール），又はジメチルアミノプロピル又はジメチルアミノプロピルのようなジアルキルアミンを有する水素又は置換した又は非置換のアルキル基（直鎖又は分岐）であり得、カルボン酸（イオン化可能基）を生成する。予めブロックされたポリマは次に、基体の表面に塗布されることができる。図１を参照すると、基体が求核基Ｚを有しているなら、Ｚは、例えば、ＮＨ２、ＯＨ、又はＳＨであり、これらの基は、予めブロックされたポリマと基体との間に二重結合を形成するために予めプリブロックされたポリマ上に存在する無水マレイン酸基と反応することができる。
【００４６】
イオン化可能基に対する反応基の比は特定の量の試薬を使うことによってコントロールされることができる。結合高分子の他の特性（例えば、疎水性）は結合高分子（例えば、疎水性モノマーの選択）を準備するために使われる出発原料をコントロールすることによって又は、誘導体化剤／ブロッキング薬剤の適切な選択により必要に応じて変化し得る。ある態様において、イオン化可能基に対する反応基の比は一つ以上の反応基を不活性基に変えることによってコントロールされ得る。さらなる態様において、結合高分子上に存在している反応基の約１０％から約５０％は、ブロック又は不活性化されている。本明細書に記載されている「ブロック」という用語は、不活性化基に対して結合高分子上に存在する反応基の変換であり、不活性基は生体分子に二重結合の付着を形成しない。様々な態様において、ブロックされている反応基の量は約１０％、約１２％、約１４％、約１６％、約１８％、約２０％、約２２％、約２４％、約２６％、約２８％、約３０％、約３２％、約３４％、約３６％、約３８％、約４０％、約４２％、約４４％、約４６％、約４８％、又は約５０％であり、任意の値が範囲の下位（下側）エンドポイント及び上位（上側）エンドポイントを形成することができる。他の態様では、反応基の約１０％から約４５％まで、１０％から約４５％まで、１０％から約３５％まで、１５％から約３５％まで、２０％から約３５％まで、または約２５％から約３５％までがブロックされる。
【００４７】
ブロッキング薬剤は基体に結合高分子が付着する前に結合高分子と反応し、又は、別の方法では結合高分子はブロッキング薬剤を用いてブロッキングすることに続いて初めに基体に付着することができる。さらなる態様において、ブロッキング薬剤は少なくとも1つの求核基を含み、結合高分子は少なくとも1つの求電子基を含み、ブロッキング薬剤は求電子基と求核基との間の反応によって結合高分子に付着される。さらなる態様において、ブロッキング薬剤は結合高分子に共有結合で付着されている。例えばブロッキング薬剤はアミノ基、ヒドロキシル基、又はチオール基を含み、二重結合を生み出すために結合高分子（例えば、エポキシ、無水物、活性化エーテル基）上に存在している求電子基と反応することができる。
【００４８】
さらなる態様において、ブロッキング薬剤（遮断薬）はアルキルアミン，アルキルヒドロキシアミン，又はアルコキシアルキルアミンを含む。本明細書で使用されている「アルキル」という用語は、メチル，エチル，ｎ−プロピル，イソプロピル，ｎ−ブチル，ｔ−ブチル，ペンチル，ヘキシル，ペンチル，オクチル，デシル，テトラデシル，ヘキサデシル，エイコシル，テトラコシルなどのような１から２５の炭素原子の分岐又は非分岐飽和炭化水素基を示す。より長い鎖のアルキル基はオレイン酸基又はパルミテート基を含むがこれらに限定されない。「低級アルキル」基は、１から６の炭素原子からなるアルキル基である。本明細書で使用される「アルキルヒドロキシ」という用語は前記で定義されたアルキル基であり、少なくとも1つの水素原子がヒドロキシ基に置き換えられる。本明細書で使われている「アルキルアルコキシ」という用語は前記で定義されているようにアルキル基であり、少なくとも1つの水素原子は、アルコキシ基−ＯＲと置き換えられ、Ｒは前記で定義されているようにアルキル基である。
【００４９】
さらなる態様において、ブロッキング薬剤は、アンモニア，２−（２−アミノエトキシ）エタノール，Ｎ，Ｎ−ジメチルエチレンジアミン，エタノールアミン，エチレンジアミン，ヒドロキシルアミン、メトキシエチルアミン，エチルアミン，イソプロピルアミン，ブチルアミン，プロピルアミン，ヘキシルアミン，２−アミノ−２−メチル−ｌ−プロパノール，２−（２−アミノエチルアミノ）エタノール，２−（２−アミノエトキシ）エタノール，ジメチルエタノールアミン，ジブチルエタノールアミン，１−アミノ−２−プロパノール，ポリエチレングリコール，ポリプロピレングリコール，４，７，１０−トリオキサ−１，１３−トリデカンジアミン，ポリエチレングリコール又はアミン−終端−ポリエチレングリコール，トリツマ（Ｔｒｉｚｍａ）塩酸塩，又はその任意の合成物を含む。他の態様において、ブロッキング薬剤は、水、Ｈ２Ｓ，アルコール（ＲＯＨ），又はアルキルチオール（ＲＳＨ）を含、ここで、Ｒは前記で定義されているようにアルキル基である。
【００５０】
結合高分子上に存在するイオン化可能基に対する反応基の比を有する本明細書に記載されている支持体は、先行技術のセンサーに対して非常に多くの利点を有する。イオン化可能基に対する反応基の比は担持量の増加又は基体に対する結合高分子の付着（連結層の使用と共に直接的に又は間接的に）を可能にする。以下に議論されているように、基室に対する結合高分子の付着は穏やかな条件又は例えば、ＥＤＣ／ＮＨＳと予め活性化することを必要としない。疎水性／親水性のような結合高分子の他の特性を有する反応基／イオン化可能基の比をコントロールすることもでき、最終的に支持体の有効性を増加することができる。
【００５１】
本明細書に記載されている支持体と関連する他の態様は、支持体と生体分子の間の高い結合能力である。より多くの結合高分子が基体に担持されるばあい、より多くの生体分子が結合高分子に付着する。再度、より多くの生体分子が基体に付着されるばあい、支持体の性能もまた高められる。ある態様において、いったん生体分子が結合高分子に付着すると、固定化された生体分子はより結合し易くなる。例えば固定化されたタンパク質は本明細書に列挙されているイオン化可能基に対する反応基の比を所有しない支持体と比較するとき、本発明の支持体上に固定化されるときと比較して低く立体的に妨げられる。また、本明細書に記載されている結合高分子はより優れた柔軟性を有しており、より優れた柔軟性もまた結合高分子と生体分子の間により優れた結合形成を可能にする。最後に、本明細書で使用されている結合高分子は、増加したアッセイの感度／ＳＮ比を提供し、生体分子のアッセイを実施する際、非常に望ましい特徴・態様である。
【００５２】
ｄ．支持体の準備
【００５３】
基体に付着される結合高分子の量は、結合高分子、生体分子、及び検出される検体の選択によって変化し得る。1つの態様において、結合高分子は、少なくとも1つの単層分子を含む。さらなる態様において、結合高分子は約１０Åから約２，０００Åの厚さを有する。他の態様において、結合高分子の膜厚は、１０Å、２０Å。４０Å。６０Å、８０Å、１００Å、１５０Å、２００Å、３００Å、４００Å、又は５００Åの低限界値及び７５０Å、１，０００Å、１２５０Å、１５００Å、１７５０Å、又は２０００Åの高限界値を有し、任意の低限界値は厚い領域を形成するために任意の高限界値と組み合わせることができる。
【００５４】
結合高分子は技術的に周知である技術を使って基体に付着することができる。例えば、基体は結合高分子の溶液に浸されることができる。他の態様において、結合高分子は噴射され、蒸着され、スクリーン印刷され、又はロボット制御でピン印刷され又は基体にマークを付けられる。これは、十分にまとめられた基体上かそれとも底辺の挿入部上に（例えば、マイクロプレートを形成するために、穴のあるプレートに対して底辺の挿入部が付着する前に）施されるであろう。
【００５５】
さらなる態様において、支持体は基体に直接又は間接的に結合高分子を付着することによって作られることができ、結合高分子は生体分子に付着することができる複数の反応基を有する。結合高分子が直接又は間接的に基体に付着されるとき、結合高分子は共有結合的かそれとも非共有結合（例えば、静電的に）的に付着されることができる。図１は結合高分子が基体に付着する1つの特徴・態様を表現しており、求核基Ｚ（例えば、アミノ基、ヒドロキシル基、又はチオール基）は、新しい共有結合を生み出すために結合高分子の無水物基と反応する。
【００５６】
他の態様において、結合高分子が間接的に基体に付着するとき、連結層が使われる。連結層は、基体の外表面に共有結合又は静電的に付着されることができる。基体に関する「外表面」という表現は、晒される又は操作を施される領域である。例えば、接触する際、溶媒又は試薬と接触することができる基体上の任意の表面は、基体の外表面と見なされる。このように、連結層は基体及び結合高分子に付着することができる。
【００５７】
様々な態様において、本明細書に記載されている基体は、基体に共有結合で結合した連結層を有している。しかしながら、異なる連結層は共有結合で基体に結合されている連結層と結合して、他の方法によって基体に付着されることができると考えられる。例えば、一つの連結層は、基体に共有結合で結合されることができ、第二の連結層は静電的に基体に結合されることができる。さらなる態様において、繋がれて層が静電的に基体に結合されるとき、連結層を形成するために使われる化合物は正電荷を帯び、基体の外表面は網状に負電荷が存在するように処理され、その結果、連結層の化合物及び基体の外表面は静電結合を形成することができる。
【００５８】
さらなる態様において、基体の外表面は誘導化されることができ、その結果、基は、連結層を有する共有結合を形成することができる。この連結層は基体に対して直接又は間接的に供給結合できる。連結層が間接的に基体に結合されるときの場合、基体と連結層の両方に共有結合できるリンカー保有基が使われることができる。リンカーの例はこれらに限定されないが、以下のものがある；エーテル基、ポリエーテル基、ポリアミン、又はポリチオエーテル。リンカーが使用されなく、連結層が基体に共有結合で結合されているなら、これは、直接の共有結合性の付着として参照される。
【００５９】
さらなる態様において、連結層は結合高分子と反応できる一つ以上の反応官能基を含む合成物から生じる。連結層に関する「から生じる」という表現は、結果生じる残余物又は連結層が基体に付着されるとき連結層の合成物として本明細書に定義される。官能基は結合高分子が連結層に付着することを可能にする。さらなる態様において、繋がれた合成物の官能基はアミノ基、チオール基、ヒドロキシ基、カルボキシル基、アクリル酸、有機物及び無機酸、活性化エステル、アルデヒド、エポキシド、イソシアネート、イソチオシアネート、それらの派生物又はそれらの塩又はそれらの組合せを含む。
【００６０】
一つの態様において、例えば、基体は少なくとも1つのアミノ基を含むポリマでアミン修飾される。このようなポリマの例は、これらに限定されないが、以下のものがある；ポリリジン，ポリエチレンイミン，ポリ（アリル）アミン，又はシリル化されたポリエチレンイミン．他の態様において、基体はアミノシランで修飾される。さらなる態様において、連結層は直鎖又は分岐鎖アミノシラン，アミノアルコキシシラン，アミノアルキルシラン，アミノアリールシラン，アミノアリールオキシシラン，又はその派生物又は塩から生じる。さらなる態様において、連結層は３−アミノプロピルトリメトキシシラン，Ｎ−（ベータ−アミノエチル）−３−アミノプロピルトリメトキシシラン，Ｎ−（ベータ−アミノエチル）−３−アミノプロピルトリエトキシシラン，Ｎ‘−（ベータ−アミノエチル）−３−アミノプロピルメトキシシラン，又はアミノプロピルシルセスキクオアン（aminopropyl silsesqui xoane）から生じる。
【００６１】
他の態様において、基体が金でできているとき、結合高分子は、例えば、１１−アミノ−１−ウンデカンチオール塩酸塩などのようなアミノチオールによって付着される。
【００６２】
連結層は技術的に周知である技術を使って本明細書に記載されている任意の基体に付着することができる。例えば、基体は連結層の化合物の溶液に浸されることができる。さらなる態様において、連結層の化合物は、噴射され、蒸着され、スクリーン印刷され、又はロボット制御でピン印刷され又は基体にマークを付けられた。これは、十分にまとめられた基体上かそれとも底辺の挿入部上（例えば、マイクロプレートを形成するために、穴のあるプレートに対して底辺の挿入部が付着する前に）にされるであろう。
【００６３】
一つの態様において、基体は金のチィップを含んでおり、結合高分子はアミノチオールによって基体に間接的に付着されたポリ（エチレン−ａｌｔ−無水マレイン酸）を含み、結合高分子中におけるイオン化可能基に対する反応基の比は、０．６７から３．０である。他の態様において、基体は、Ｔａ２Ｏ５，Ｎｂ２Ｏ５，ＴｉＯ２，Ａｌ２Ｏ３，シリコン窒化物，ＳｉＯ２又はその混合物を含む層を有するガラス基体を含み、結合高分子は連結層によって基体に間接的に付着されたポリ（エチレン−ａｌｔ−無水マレイン酸）を包含し、連結層はアミノプロピルシラン（例えば、ガンマ−アミノプロピルシラン）から生じる。イオン化可能基に対する反応基の比は０．６７から３．０である。前記態様において、ポリ（エチレン−ａｌｔ−無水マレイン酸）は、ポリマが基体に付着する前にメトキシエチルアミンでプリブロックされる。
【００６４】
ＩＩ．使用方法。
【００６５】
検体をアッセイする方法が本願明細書に記載されている。かかる方法の一つの態様は、次の行程ａとｂを含む。
【００６６】
ａ．サンプルの接触を行う工程。
【００６７】
サンプルは基体に直接に又は間接的に付着された結合高分子及び基体を含んでいる支持体を有する検体を含む。結合高分子は生体分子に結合することができる複数の反応基を有しており、イオン化可能基に対する反応基の比は、０．５から１０である。
【００６８】
ｂ．固定した検体の検出を行う工程。
【００６９】
一つ以上の異なる生体分子は様々な生物学的なセンサーを作り出すために基体に付着されることができる。さらなる態様において、生体分子は、結合高分子に共有結合又は静電的に付着することができる。生体分子は共有結合又は非共有結合を通じて他の分子に対して特有の親和性を示すことができる。本明細書において有用である生体分子の例は、これらに限定されないが以下のものが含まれる；核酸分子、抗体、ペプチド、小分子、レクチン、修飾された多糖、合成混合物巨大分子、機能化されたナノ構造、合成ポリマ、修飾／ブロックされたヌクレオチド／ヌクレオシド、修飾／ブロックされたアミノ酸、蛍光色素分子、リガンド、キレート、アプタマー、薬物（例えば、小分子）又はハプテン。
【００７０】
さらなる態様において、生体分子はタンパク質であり得る。例えば、タンパク質はペプチド、たんぱく質又はペプチドのフラグメント、メンブランに結合したタンパク質、又は核タンパク質を含むことができる。プロテインは任意の長さであり、一つ以上のアミノ酸又はそのバリエーションを含むことができる。タンパク質は分析する前に例えばプロテアーゼ消化によってフラグメントにされることができる。分析されるたんぱく質サンプルもまた、サンプルの複雑性を低下するために分画又は分離される場合がある。フラグメント及び分画もまた同様のアッセイにおいて一緒に使用されることができる。このような断片化及び分画は単純化することができ、タンパク質の分析を拡げる。
【００７１】
さらなる態様において、生体分子はウィルスである。ウィルスの例はこれらに限定されないが、以下のものが含まれる；１型単純ヘルペスウィルス、２型単純ヘルペス、サイトメガロウィルス、エプスタインバーウィルス、水痘帯状ヘルペスウィルス、ヒトヘルペスウィルス６、ヒトヘルペスウィルス７、ヒトヘルペスウィルス８、天然痘ウィルス、水痘性口内炎ウィルス、Ａ型肝炎ウィルス、Ｂ型肝炎ウィルス、Ｃ型肝炎ウィルス、Ｄ型肝炎ウィルス、Ｅ型肝炎ウィルス、ライノウィルス、コロナウィルス、Ａ型インフルエンザ、Ｂ型インフルエンザ、麻疹ウィルス、ポリオーマウィルス属、ヒトパピローマウィルス、呼吸器合胞体ウィルス、アデノウィルス、コクサッキーウィルス、テングウィルス、ムンプスウィルス、ポリオウィルス、狂犬病ウィルス、ラウス肉腫ウィルス、黄熱病ウィルス、エボラウィルス、マールブルグウィルス、ラッサ熱ウィルス、東方ウマ脳炎ウィルス、日本脳炎ウィルス、セントルイス脳炎ウィルス、マリーバレー脳炎ウィルス、ウェストナイルウィルス、リフトバレー熱ウィルス、ロタウィルスＡ、ロタウィルスＢ、ロタウィルスＣ、シンドビスウィルス、サル免疫不全ウィルス、ヒトＴ細胞白血病ウィルス１型、ハンタウィルス、風疹ウィルス、サン免疫不全ウィルス、ヒト免疫不全ウィルス１型、ワクシアウィルス、重傷急性呼吸器症候群、ヒト免疫不全ウィルス２型、レンチウィルス、バキュロウィルス、アデノウィルス、又は任意の菌株又はその変異型。
【００７２】
さらなる態様において、生体分子は核酸を包含する。核酸はオリゴヌクレオチド、デオキシリボ核酸（ＤＮＡ）又はそのフラグメント、リボ核酸（ＲＮＡ）又はそのフラグメント、ペプチド核酸（ＰＮＡ）又はそのフラグメントであり得る。核酸は任意の発生源から得られた核酸であり、例えば、細胞内で自然に生じ細胞から得られる核酸、組み換え技術によって作成された核酸、又は化学的に合成された核酸などがある。例えば、核酸は相補（的）ＤＮＡ又は天然に生じるＤＮＡと一致するヌクレオチド配列を有するために合成されたゲノムＤＮＡであり得る。核酸もまた核酸（例えば、変化、欠失、置換又は少なくとも1つの核酸残留物の添加）又は天然に生じない核酸から突然変異又は修正される場合がある。
【００７３】
さらなる態様において、核酸は発現ベクター（例えば、プラスミド又はウィルスベースのベクター）のようなベクター内に存在することができる。さらなる態様において、ベクターは染色体に組み込まれたベクターである。本明細書において有用な核酸は、線形又は円形であり、任意のサイズであり得る。さらなる態様において、核酸は一本鎖又は二本鎖のＤＮＡ又はＲＮＡであり得る。
【００７４】
さらなる態様において、核酸は機能的な核酸であり得る。機能性核酸は、例えば標的分子に結合する、特定の反応に触媒作用を及ぼすというような特有の機能を有する核酸分子である。機能性核酸分子は以下の区分に分類されるが、それらに限定されるものではない。例えば、機能性核酸は、アンチセンス分子、アプタマー、リボザイム、三重鎖形成分子、ＲＮＡ干渉、及び外部ガイド配列を含む。機能性核酸分子は影響因子、阻害物質、変調器、標的分子によって所有された及び特融の活性の促進因子、又は、機能性核酸分子は任意の他の分子と独立してデノボ活性を有することができる。
【００７５】
結合高分子が基体に付着するとすぐに、一つ以上の生体分子が前記に公開されている技術を使うことによって結合高分子に付着されることができる。さらなる態様において、生体分子が核酸又はタンパク質であるとき、核酸又はタンパク質は技術的に既知の技術を使うことによって、結合高分子上にプリントされることができる。ポリマ層に付着できる生体分子の量は、例えば、選択された生体分子及び結合高分子及び検出された検体の中のものによって変化することができる。さらなる態様において、一つ以上の異なる生体分子は支持体上の異なる位置に配置されることができる。異なる生体分子が使用される場合、生体分子は、同時に又は異なる時にプリントされることができる。
【００７６】
さらなる態様において、生体分子は、生体分子を含む組成物中にピンのチィップを入れることによって支持体上に堆積（即ち、付着）されることができる。組成物からチィップを戻すとき、組成物中でチィップは組成物を含み支持体に組成物を移動する。例えば、この態様は、印刷上のピンアレイを使うことによって成し遂げられる。堆積ステップは自動のロボットによるプリンターによって実行される。このようなロボットによるシステムは、例えば、Ｉｎｔｅｌｌｉｇｅｎｔ  Ａｕｔｏｍａｔｉｏｎ  Ｓｙｓｔｅｍｓ（ＩＡＳ），Ｃａｍｂｒｉｄｇｅ，Ｍａｓｓ．から市販で入手することができる。
【００７７】
ピンは固体又は空洞であり得る。固体のピンのチィップは一般的に平らで、ピンの直径は基体に移動した液体の量で決定される。くぼんだ底部を有する固体のピンもまた使用される。1つの態様において、くぼみのあるピンは単一サンプルを有するマルチプルアレイのプリントを可能にし、固体ピンより大きいサンプル量を保持しており、それ故、単一の担持からプリントされる一つ以上のアレイを許可し、使用される。空洞ピンはプリント毛細管、ピンセット、割りピンを含む。好適な割りピンの例は、TeleChemInternational (Sunnyvale, Calif.)開発のマイクロスポッティッングピン（micro-spotting pin）である。1つの態様において、ここでは、Point Tech製のピンが使用できる。ここに記載されたスポッティッング溶液には、限定はしないが、ジェネティックアンドバイオロボティックススポッタ（Genetix and Biorobotics spottersを含む市販の多くのスポッタが使用できる。
【００７８】
支持体に付着した一つ以上の生体分子を有する本明細書に記載されている支持体のどれもは、支持体が検体に接触する検体のアッセイに使うことができる。支持体が検体に接触すると、生体分子と検体の間の化学相互作用は検体の結合を生成するために生じる。しかし、相互作用は結合高分子と検体の間の或る範囲で起こり得る。生体分子と検体の間の相互作用の性質は生体分子と選択された検体に非常に依存する。1つの態様において、生体分子と検体の間の相互作用は、静電気結合、水素結合、疎水結合或いは共有結合の形成をもたらし得る。他の態様においては、生体分子と検体の間で静電気相互作用が生じ得る。
【００７９】
検体は、任意の天然物又は合成物であり得る。基体上の生体分子に結合されることができる検体の実施例は、これらに限定されないが、薬、オリゴフクレオチド、核酸、たんぱく質、ペプチド、抗体、抗原、ハプテン、又は小分子（例えば、調合薬）が含まれる。前記に記載されている任意の生体分子は、本明細書に記載されている方法のための検体であり得る。1つの態様において、一つ以上の検体の溶液が準備され、マイクロプレートの外表面に付着された生体分子を有する1つ以上のウェルに加えられる。この態様において、異なる生体分子は異なるウェルのマイクロプレートに付着されることができると考えられる。従って、異なる生体分子と異なる検体の間の多くの異なる相互作用を検出することが可能である。1つの態様において、タンパク質はタンパク質と第二のタンパク質との間の相互作用又は小分子を調べるためにマイクロプレート上に固定化されることができる。また、小分子は、小分子と第二の小分子との間の相互作用又はタンパク質を調べるために本明細書に記載されている技術を使うことによってマイクロプレート上に固定化されることができる。さらなる態様において、生体分子は第二のオリゴヌクレオチド（すなわち、検体）をハイブリダイズ（hybridize）できるオリゴヌクレオチドであり得る。さらなる態様において、基体がマイクロプレートのときアッセイは高生産性（ハイスループット）アッセイであり得る。
【００８０】
さらなる態様において、アレイは本明細書に記載されている任意の方法において使用されることができる。1つの態様において、アレイは基体上に複数の生体分子を含んでおり、生体分子は支持体に接して別々の位置及び規定された位置上にある。アレイは遺伝子発現、病気診断、創薬（薬理ゲノム学）及び毒物学的研究（トキシコゲノミクス）のような広い範囲の用途に使われてきた。典型的は方法はターゲットに結合するアレイ中において前記組成物を確認するために興味のあるターゲットを有する生体分子のアレイと接触することを含む。アレイは一般的にマクロアレイ又はマイクロアレイとして記載され、違いはサンプルのスポットのサイズである。1つの態様において、アレイは少なくとも９６又は３８４の明確かつ定義された位置を包含する。
【００８１】
アレイを生産する方法は技術的に周知である。例えば、Ｆｏｄｏｒ  ｅｔ  ａｌ．，１９９１，Ｓｃｉｅｎｃｅ２５１：７６７−７７３は、小型化され、実質的にアドレス可能なペプチドのアレイを合成する戦略をマスキングするフォト‐プロテクトされたアミノ酸及びフォトリソグラフィックを利用するｉｎ  ｓｉｔｕ方式を記載している。このｉｎ  ｓｉｔｕ方式は近年、オリゴヌクレオチド（Ｕ．Ｓ．Ｐａｔ．Ｎｏ．５，７４４，３０５）の小型化されたアレイの合成を拡大してきている。固定化されたオリゴヌクレオチドの空間的にアドレス可能なアレイを製造する他のｉｎ  ｓｉｔｕ合成方法は、Ｓｏｕｔｈｅｒｎ，１９９２，Ｇｅｎｏｍｉｃｓ１３：１００８−１０１７；ｓｅｅ  ａｌｓｏ  Ｓｏｕｔｈｅｒｎ  ＆Ｍａｓｋｏｓ，１９９３，Ｎｕｃｌ：Ａｃｉｄｓ  Ｒｅｓ．２１：４６６３−４６６９；Ｓｏｕｔｈｅｒｎ  ＆  Ｍａｓｋｏｓ，１９９２，Ｎｕｃｌ．Ａｃｉｄｓ  Ｒｅｓ．２０：１６７９−１６８４；Ｓｏｕｔｈｅｒｎ  ＆  Ｍａｓｋｏｓ，１９９２，Ｎｕｃｌ．Ａｃｉｄｓ  Ｒｅｓ．２０：１６７５−１６７８に記載されている。この方法において、従来のオリゴヌクレオチド合成試薬は固定化されたオリゴヌクレオチドのアレイを作成するために物理的にマスクされたガラススライド上に投薬された。米国特許番号５，８０７，５２２は、基体上に規定量液体をくみ上げるのに効果的な条件下、基体上でキャピラリーディスペンサーをしかけることによって各々のアレイのアドレスにおいて既知の量の試薬を投薬することを含む生物サンプルのマイクロアレイを製造する堆積方法が記載されている。
【００８２】
一つの態様において、核酸又はタンパク質のアレイは、本明細書に記載されている基体のいずれかにプリントされることができる。米国出願番号Ｎｏ．２００３／０２２８６０１、Ｓａｂａｔｉｎｉは、本明細書で使われることができ、本明細書に記載されている方法において使用できる異なるアレイ又は核酸ライブラリーに関する引用によって組み込まれる。
【００８３】
他の態様において、本明細書に記載されている支持体は、リファレンス領域とサンプル領域の両方に表面を有している。いくつかの異なる体積技術（例えば、コンタクトピンプリンティング、非接触プリンティング、マイクロコンタクトプリンティング、スクリーンプリンティング、スプレープリンティング、スタンピング、スプレーイング）は、単独の支持体上においてリファレンス領域及びサンプル領域を作成するために使用されることができる。サンプル領域は、検体と固定化された生体分子との間の相互作用の検出を可能にし、一方、レファレンス領域は検体と固定化された生体分子との間の相互作用の検出に悪影響を及ぼし得る誤った変化の取り消しを可能にする。一つの実施例において、サンプル領域及びリファレンス領域はマイクロプレートのウェル内に取り込まれる。
【００８４】
一つの態様において、結合高分子を有する所定の領域は特に、ブロッキングを堆積させること／活性化剤によって不活性化される。例えば、結合高分子がＥＭＡのような活性アミンコーティングであるとき、前記記載の次のいずれかのブロッキング剤は不活性化剤として使用されることができる。また、アミンを含有していない試薬は、結合高分子を不活性な状態にさせるために結合高分子上に存在する反応基を加水分解するために使われることができる。このように、生体分子は、不活性化剤で処理されていない領域でセンサーに唯一結合する。
【００８５】
他の態様において、生体分子は結合高分子に付着され、支持体はリファレンス領域として使われることができる支持体の印刷されていない領域を不活性化／ブロックするために不活性化因子に晒される。
【００８６】
生体分子に付着した支持体が検体に接触するとすぐに、固定した検体は検出される。前記に記載されているように、本明細書に記載されている基体の利点の一つは検体の非特異的な結合が減らされることである。支持体は、支持体のプリントされていな領域を不活性化／ブロックするために不活性化因子に対して晒され、リファレンス領域として使われる。
【００８７】
更なる態様において、固定された検体は検出の目的のために標識されることができる。使用される検出技術によっては、ある態様において、検体は検出する前に検出可能なトレーサーで標識されることができる。検体と検出可能なトレーサーの間の相互作用は任意の化学的相互作用又は物理的相互作用を含むことができるが、共有結合、イオン相互作用、又はルイス酸−ルイス塩基相互作用に限定するものではない。本明細書に参照されているように「検出可能なトレーサー」は以下の任意の合成物として定義される。（１）前記に記載されているように検体と相互作用できる少なくとも１つの基を有する。（２）当業者に周知である技術を使って検出できる少なくとも１つの基を有する。さらなる態様において、検体は支持体に接触する前に標識されることができる。他の態様において、検体は、検体が支持体と接触した後に標識することができる。検出可能なトレーサーの実施例は蛍光及び酵素のトレーサーを含むがこれらに限定するものではない。
【００８８】
他の態様において、蛍光、リン光、ケミルミネッセンス（chemilumenescence）、バイオルミネッセンス（ｂｉｏｌｕｍｉｎｅｓｃｅｎｃｅ），ラマン分光法、光散乱分析、質量分析など及び当業者に一般に周知である他の技術に限定しないが、固定化された検体の検出は他の技術を用いて行われる。さらなる態様において、固定化された検体は標識化独立検出（ｌａｂｅｌ−ｉｎｄｉｐｅｎｄｅｄ  ｄｅｔｅｃｔｉｏｎ）又はＬＩＤによって検出される。ＬＩＤの実施例はこれらに限定されるわけではないが、屈折率センサー（表面プラズモン共鳴、共鳴導波路回折格子システム、又は偏光解析法）、音波センサー、又は質量分析又は水晶振動子微量天秤などのような質量センサを含む。
【００８９】
要約すれば、本明細書に記載されている支持体及び方法は多量の生体分子の担持を可能にし、検体の検出に関してより高い感度をもたらす。本明細書に記載されている支持体及び方法もまた多くの異なる基体と相溶性が良い。支持体の準備は穏やかな条件を必要とし、結果得られる支持体は均一性に関連して優れた貯蔵安定性を示し、基体への生体分子の付着を再生できる。最終的に、支持体及び方法もまた、タイムリーで経済的な方法においてアレイのシグナル強度、感度及びアッセイの品質を増加させ、さらに、アッセイの特異性を向上させる。
【００９０】
（実施例）
【００９１】
以下の実施例は、当業者に完璧な開示及びどのような材料、論文、及び方法が記載されているのか及び本明細書における特許請求の範囲がどのように作られ評価されているのかを提供するために進められ、純粋な例示であることを意味し、発明者が、彼らの発明であると見なしている物の範囲を限定することを意味しない。数値（例えば、量、温度など）に関する正確さを確かめるための活動がなされたが、誤差及び偏倚が説明されるべきである。もし他のものを指し示さなければ、部は、重量部であり、温度は℃であり又は室温であり、圧力は、大気における又は大気に近いものである。反応条件には非常に多くの変化及び組み合わせがあり、例えば、成分濃度、所望の溶媒、溶媒混合物、温度、圧力及び他の反応領域及び製品の純度及び記載されている工程から得られる収率を最適化するために使用されることができる条件などがある。合理的かつ日常的な実験のみがこのような工程条件を最適化するために要求されている。
【００９２】
実施例１．エタノールアミンを用いプレブロッキングしたエチレン無水マレイン酸共重合体の準備。
【００９３】
図１３は、部分的に加水分解及び１時間、１４０℃において真空乾燥されたポリ（エチレン−ａｌｔ−無水マレイン酸）（ＥＭＡ）のＦＴＩＲスペクトルを示している。部分的に加水分解されたＥＭＡのスペクトルは記憶装置上で生じている加水分解のためにカルボン酸基の存在（１７９０ｃｍ−１肩部）をはっきりと示している。ＥＭＡが真空乾燥された後のスペクトルは、全てのカルボン酸基は無水物（肩部が見られず）に変化させられることを示している。前記カルボン酸フリーＥＭＡは、ウェルがコントロールされたプレブロッキング反応を確かめるための原材料なので特に適している。
【００９４】
Ｓｉｇｍａ  Ａｌｄｒｉｃｈ（参照．１８，８０５−０）から購入された乾燥ＥＭＡ（０．２ｇ）は、約１時間、攪拌下で１４．８０ｇ無水１−メチル−２−ピロリジノン（ＮＭＰ）に溶解された。平行して、エタノールアミン溶液は、５０ｇの無水ＮＭＰに２３９μｌの純粋なエタノールアミンを加えることによって準備された。次に、５ｇのエタノールアミン／ＮＭＰ溶液（供給組成に基づいた無水物基の約２５％をプリブロックするために必要とされる量に一致する）はＥＭＡ溶液をできるだけ早く可能にするために加えられた。室温において、３時間穏やかに攪拌した後、２ｇの前記溶液は１８ｇの無水イソプロピルアルコール（ＩＰＡ）に加えられ、攪拌された。
【００９５】
同様の方法が、一定の溶液の固体容量を維持するために、１５、２０．及び３０ｍｏｌ％の無水マレイン酸基でプリブロックするために適切な量のエタノールアミン／ＮＭＰ溶液に加えられたことを除いて繰りかえされた。０％のプリブロッキングは同様の方法を使用して作製されたがエタノールアミンは加えていない。
【００９６】
実施例２．ＳＰＲ検出のためのゴールドセンサーの準備。
【００９７】
バイオコアゴールドセンサーチィップはエタノール及び水でリンスされることによって洗浄され、次に、穏やかな窒素のストリーム下で乾燥された。チィップは１時間、１ｍＭの１１−メルカプトウンデシルアミン（11-mercaptoundecylamine）（11-アミノ-1-ウンデカンチオール）エタノール溶液に浸され、エタノールでリンスされ、次に水でリンスされ、最後に窒素のストリーム下で乾燥された。
【００９８】
ケイ素ガスケット（Ｆｌｅｘｉｐｅｒｍ）は各々のゴールドチィップ上に適用され、実施例１から得られたプリブロックされたＥＭＡ溶液１００μｌはウェルにつき加えられた。１０分間のカップリング後、チィップはエタノールでリンスされ、窒素のストリームで乾燥された。ケイ素ガスケットが乾燥された後、ケイ素ガスケットは除去された。この点では、コートされたゴールドチィップは任意の活性化ステップの必要なしで生体分子の固定化の準備が整っている。
【００９９】
実施例３．ＬＩＤ被覆プレートの準備。
【０１００】
脱イオン化した水中で５ｗｔ％のアミノプロピルシルセスキクオアン（aminopropyl silsesqui xoane）（ＡＰＳ）溶液は２０ｗｔ％の市販の溶液から準備された。１００μｌの前記希釈された溶液は各々のウェルへ加えられ、次に、１０分間インキュベートされた。インキュベート後、ＡＰＳ溶液は除去され、プレートは水で３回及びエタノールで３回リンスされ、次に穏やかな窒素ストリームで乾燥された。
【０１０１】
乾燥後、実施例１から得られたプレブロックされたエチレン−ａｌｔ−無水マレイン酸共重合体溶液１００μｌがウェルに加えられ、室温で１０分間、インキュベートされた。過剰の溶液は除去され、プレートはエタノールで３回リンスされた。リンス後、プレートは穏やかに窒素ストリームによって乾燥された。この時点では、プレートは任意のさらなる活性化なしに使用のための準備が整っている。
【０１０２】
実施例４．ゴールドセンサーチィップ上のたんぱく質（ストレプトアビジン(ｓｔｒｅｐｔａｖｉｄｉｎ)）固定化。
【０１０３】
実施例２から得られたコートされたゴールドセンサーはバイオコアＳＰＲ機器に導入された。前記二つのフローセルは、５μｌ／ｍｉｎで数分間、ｐＨ５．５において５ｍＭ酢酸ナトリウムでフラッシュされ、次に５ｍＭの酢酸ナトリウム中で２５０μｇ／ｍｌストレプトアビジン（ＳＡ）溶液３５μｌが、一つのフローセル中に７分間、５μｌ／ｍｉｎで注入された。二つのフローセルは５０ｍＭのホウ酸バッファー（ｐＨ９）中で２００ｍＭのエタノールアミンでブロックされ、ＰＢＳ中で０．０５％ツイン２０（Ｔｗｅｅｎ２０）でリンスされた。
【０１０４】
図２は、各々、０、１５、２０、２５、３０ｍｏｌ％でプレブロッキングされたＥＭＡでコートされたゴールドチィップ上でのＳＡ固定化曲線が示されている。強いプレブロッキング効果が明らかに見られる。２０、２５、３０％でプレブロッキングされたＥＭＡで被覆されたセンサ表面はプレブロッキングされていないＥＭＡのものより２倍高いストレプトアビジン固定化を示している。
【０１０５】
実施例５．固定化タンパク質へ結合した小分子のＳＰＲ評価。
【０１０６】
ビオチン(biotin)の結合能力を評価するために、実施例４において固定化されたＳＡ上の各々のチィップは結合アッセイを実施するために使用された。ビオチン結合は、10分間、１０μｌ／ｍｉｎにおいてアセテートバッファー中で、１００ｎＭの４−フルオレセイン（Fluorescein）−ビオチン１００μｌを使用して観測された。ストレプトアビジンフリー及びエタノールアミンでブロックされたフローセルはリファレンスとして使用された。図３はリファレンスが引かれた後にプレブロッキングなしのＥＭＡと比較した異なるプレブロッキングの度合を有するＥＭＡで作られたセンサー表面上で固定化したＳＡに結合している４−ｆｌビオチンの得られた結合曲線を示している。図１１は、検出するためにＣｏｒｎｉｎｇ  ＥｐｉｃＴＭシステム（登録商標）を使用したｆｌ−ビオチン結合アッセイに対しエタノールアミンを用いたプレブロッキングの最適値を示している。図１２は、ストレプトアビジン固定化及びプレブロッキングなしのＥＭＡに対するｆｌ−ビオチン結合の両方におけるプレブロッキング剤としてのエタノールアミンの影響を示している。
【０１０７】
実施例４及び５から得られた結果は、本発明の支持体を用いて固定化されたタンパク質の小分子結合に対してより利用しやすいことを明らかにした。データは以下に与えられた表に要約されている。固定化したタンパク質につき結合した小分子の比は、プレブロッキングが増加するとき増加することをデータは示している。
【０１０８】
【表１】
2009522547.tif 000003
【０１０９】
実施例６．メトキシエチルアミン、ＳＡの固定化及び小分子結合アッセイを用いたプレブロックされた無水マレイン酸共重合体の準備。
【０１１０】
実施例２に記載されているような同様の方法が再現されているが、エタノールアミンはメトキシエチルアミンに取って替わられ、無水マレイン酸共重合体のプレブロッキングの度合は、供給組成に基づき３３、４０、及び５５ｍｏｌ％であった。ＳＡの固定化は実施例４に記載されているように行われた。固定化されたタンパク質上に結合している小分子の評価は実施例５に従って実施された。図４は４−ｆｌ−ビオチン結合上においてメトキシエチルアミンでプレブロッキングすることの効果を示している。図１１はＬＩＤ検出を使用したｆｌ−ビオチン結合アッセイに対するメトキシｌアミンによるプレブロッキングの最適値を示している。図１２はストレプトアビジン固定化及びプレブロッキングなしのＥＭＡに対するｆｌ−ビオチン結合の両方におけるプレブロッキング剤としてのメトキシエチルアミンの影響を示している。
【０１１１】
実施例７．イソプロピルアミン、ＳＡの固定化及び小分子結合アッセイを用いたプレブロックされた無水マレイン酸共重合体の準備。
【０１１２】
実施例１に記載されているような同様の方法が使用されているが、エタノールアミンはイソプロピルアミンに取って替られ、エチレン−ａｌｔ−無水マレイン酸共重合体のブロッキング度合は供給組成に基づき４０及び５０ｍｏｌ％であった。ＳＡの固定化は実施例４に記載されているように実施された。固定化したプロテインＳＡ上に結合している小分子の評価は実施例５に従って実施された。図５は４−ｆｌビオチン結合上でイソプロピルアミンでプリブロッキングすることの効果を示している。図１２はストレプトアビジン固定化及びプリブロッキングなしのＥＭＡに対するｆｌ−ビオチン結合の両方におけるプリブロッキング剤としてのイソプロピルアミンの影響を示している。
【０１１３】
実施例８．ブチルアミン，ＳＡの固定化及び小分子結合アッセイを用いたプレブロックされたエチレン−ａｌｔ−無水マレイン酸共重合体の準備。
【０１１４】
実施例１に記載されているような同様の方法が使用されているが、エタノールアミンはブチルアミンに取って替られエチレン−ａｌｔ−無水マレイン酸共重合体は供給組成に基づいて２５及び４０ｍｏｌ％であった。ＳＡの固定化は、実施例４に記載されているように実施された。固定化されたタンパク質上に結合している小分子の評価は実施例５に従って実施された。図６は４−ｆｌビオチン結合上でブチルアミンを用いてプリブロックすることの効果を示している。図１２はストレプトアビジン固定化及びプリブロッキングなしのＥＭＡに対するｆｌ−ビオチン結合の両方におけるプリブロッキング剤としてのブチルアミンの影響を示している。
【０１１５】
実施例９．プロピルアミン、ＳＡの固定化及び小分子結合アッセイを用いたプレブロッキングしたエチレン−ａｌｔ−無水マレイン酸共重合体の準備。
【０１１６】
実施例１に記載されているように、同様の方法が使用されているが、エタノールアミンはプロピルアミンに取って替られ、エチレン−ａｌｔ−無水マレイン酸共重合体のプリブロッキングの度合は、供給組成に基づいて４０及び５０ｍｏｌ％であった。ＳＡの固定化は実施例４に記載されているように実施された。固定化されたタンパク質上に結合している小分子の評価は実施例５に従って実施された。図７は４−ｆｌビオチン結合上においてプロピルアミンを用いてプリブロッキングすることの効果を示している。図１２はストレプトアビジン固定化及びプレブロッキングなしのＥＭＡに対するｆｌ−ビオチン結合の両方におけるプレブロッキング剤としてブチルアミンの影響が示されている。
【０１１７】
実施例１０．ヘキシルアミンを用いプレブロッキングしたエチレン−ａｌｔ−無水マレイン酸共重合体の準備。
【０１１８】
実施例１に記載されているように、同様な方法が使用されているが、エタノールアミンはヘキシルアミンによって取って替られ、エチレン−ａｌｔ−無水マレイン酸共重合体は供給組成に基づき、０、２５、３３、４０及び５０ｍｏｌｅ％であった。ＳＡの固定化は、実施例４に記載されているように実施された。固定化されたタンパク質に結合している小分子の評価は実施例５に従って実施された。図８は４−ｆｌビオチン結合上にヘキシルアミンでプリブロッキングすることの効果を示している。図１２はストレプトアビジン固定化とプリブロッキングなしのＥＭＡに対するｆｌ−ビオチン結合の両方におけるプリブロッキング剤としてヘキシルアミンが示されている。
【０１１９】
実施例１１．エタノールアミン及びＣｏｒｎｉｎｇ  ＥｐｉｃＴＭマイクロプレート上で実施されたＣｏｒｎｉｎｇ  ＥｐｉｃＴＭシステム（固定化ストレプトアビジンに対するｆｌ−ビオチンの結合）アッセイを用いてプリブロックされたエチレン−ａｌｔ−無水マレイン酸共重合体の準備。
【０１２０】
１５、２５、３５、４５ｍｏｌ％のプリブロッキングの度合を有するエタノールアミンでプリブロックされたＥＭＡはポリマが任意の加水分解生成物から自由であることを確かめるためにＥＭＡが実施例１において記載されている方法に従って準備された。実施例３に記載されている方法は、前記ポリマとともにプレートを準備するために使用された。ストレプトアビジンの固定化は観測（オフライン固定化）せずに５０μｇ／ｍｌで実施された。小分子も結合能力は、１００ｎＭの蛍光ビオチンの最終濃度を得るために７５μｌの１×ＰＢＳであらかじめ満たされたウェル中へ加えられた１×ＰＢＳ中で、７５μｌ、２００ｎＭの蛍光ビオチンを使うことによって評価された。結合シグナルは、混合せずに２分間、続いて混合下で１０分間以上記録された。図９はリファレンスウェルが引かれた後にｆｌ−ビオチンアッセイに対して得られたプリブロッキングの各々の度合についての結合曲線を示している。
【０１２１】
実施例１２．メトキシエチルアミン及びＣｏｒｎｉｎｇ  ＥｐｉｃＴＭマイクロプレート上で実施されたＣｏｒｎｉｎｇ  ＥｐｉｃＴＭシステム（固定化ストレプトアビジンに対するｆｌ−ビオチンの結合）アッセイを用いてプリブロックされたエチレン−ａｌｔ−無水マレイン酸共重合体の準備。
【０１２２】
実施例１１の手法は、メトキシエチルアミンがエタノールアミンの代わりに使われていたことを除いて再現された。図１０はリファレンスウェルが引かれた後のｆｌ−ビオチンアッセイに対して得られたプリブロッキングの各々の度合についての結合曲線を示している。
【０１２３】
実施例１３
【０１２４】
本実施例は異なるたんぱく質の固定化についての本発明の有用性を記述している。Ｃｏｒｎｉｎｇ  ９６−ウェルのＥｐｉｃＴＭプレートは、ＥＭＡ又は３５ｍｏｌ％のメトキシエチルアミン（ＥＭＡ／ＭＥＡ）でプリブロックされたＥＭＡを用いてコートされた。人血清アルブミン（ＨＳＡ）、免疫グロブリン（ＩｇＧ）、キモトリプシノゲン、及びリゾチームは、各々のプレートを内で複数のウェル中に固定化され、固定化された量はＥｐｉｃＴＭ機器に測定される。固定化に対するｐＨは、ＨＳＡ、ＩｇＧ、キモトリプシノゲン、リゾチーム個々に５．５、６．５、８．５、及び９．２であった。以下の表に示すように、より高いレベルの固定化が各々のたんぱく質に対してＥＭＡに比較してＥＭＡ／ＭＥＡ上で観察された。固定化におけるゲイン（Gain）は、キモトリプシノゲンに対して２８％からＨＳＡに対しては１７５％と変化した。これらのデータは本発明が生体分子の多様性に適応できることを示している。
【０１２５】
【表２】
2009522547.tif 000004
【０１２６】
本出願を通して、様々な公報は参照文献が載せられている。完全な形態におけるこれら公報の開示は、本願明細書に記載されている合成物、組成物及び方法をより完全に記載するために近出願の中へ参照することにより本書に含まれる。
【０１２７】
様々な改良及び変化が本明細書に記述されている材料、方法、論文で作られることができる。本明細書に記載されている材料、方法及び論文の他の態様は本明細書及び本明細書に記載されている材料、方法、及び論文の実施から明らかであろう。明細書及び実施例は例示として見なすことを意図している。
【図面の簡単な説明】
【０１２８】
【図１】プリブロッキングを行うステップ及び支持体上へのプリブロッキングした無水マレイン酸をベースとしたポリマの付着の略図である。
【図２】０、１０、１５、２０、２５、及び３０ｍｏｌ％におけるエタノールアミンでプリブロッキングしたＥＭＡでコートされた金のチィップ上でのＳＡ固定化ＳＰＲ反応曲線を示す図である。
【図３】プリブロッキングしていないＥＭＡと同等であると思われるエタノールアミンを用いて異なる度合でプリブロッキングしたＥＭＡで作られた支持体に対して、固定化ＳＡが結合している４−ｆｌビオチンに関する結合曲線を示す図である。
【図４】４−ｆｌビオチン結合上においてメトキシエチルアミンでプリブロッキングすることの効果を示した図である。
【図５】４−ｆｌビオチン結合上においてイソプロピルアミンでプリブロッキングすることの効果を示した図である。
【図６】４−ｆｌビオチン結合上においてブチルアミンでプリブロッキングすることの効果を示した図である。
【図７】４−ｆｌビオチン結合上においてプロピルアミンでプリブロッキングすることの効果を示した図である。
【図８】４−ｆｌビオチン結合上においてヘキシルアミンでプリブロッキングすることの効果を示した図である。
【図９】異なる度合のプリブロッキングにおいて、エタノールアミンでプリブロックされた無水マレイン酸共重合体でコートされたプレートを用いたｆｌ−ビオチンアッセイに対して、Ｃｏｒｎｉｎｇ  ＥｐｉｃＴＭシステムから得られた結合曲線を示す図である。
【図１０】異なる度合のプリブロッキングにおいて、メトキシエチルアミンでプリブロックされた無水マレイン酸共重合体でコートされたプレートを用いたｆｌ−ビオチンアッセイに対して、Ｃｏｒｎｉｎｇ  ＥｐｉｃＴＭシステムから得られた結合曲線を示す図である。
【図１１】Ｃｏｒｎｉｎｇ  ＥｐｉｃＴＭシステムを使用したｆｌ−ビオチン結合アッセイに対してエタノールアミン及びメトキシエチルアミンを用いたプリブロッキングの最適値を示す図である。
【図１２】ストレプトアジピン固定化とｆｌ−ビオチン結合の両方におけるプリブロッキング剤の影響を示す図である。
【図１３】部分的に加水分解されたＥＭＡ及び１４０℃で一時間真空乾燥されたＥＭＡのＦＴＩＲスペクトルを示す図である。
【図１】
2009522547.tif 000005
【図２】
2009522547.tif 000006
【図３】
2009522547.tif 000007
【図４】
2009522547.tif 000008
【図５】
2009522547.tif 000009
【図６】
2009522547.tif 000010
【図７】
2009522547.tif 000011
【図８】
2009522547.tif 000012
【図９】
2009522547.tif 000013
【図１０】
2009522547.tif 000014
【図１１】
2009522547.tif 000015
【図１２】
2009522547.tif 000016
【図１３】
2009522547.tif 000017
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
基体と当該基体に直接または間接的に結合された結合ポリマからなり、前記結合ポリマは生体分子に結合できる複数の反応基及び複数のイオン化可能基を有し、前記イオン化可能基に対する前記反応基の比は0.5から10であり、前記結合ポリマは光反応基を含まない、ことを特徴とするアッセイを実行するための支持体。
【請求項２】
前記結合ポリマが連結層によって間接的に前記基体に結合された請求項１の支持体。
【請求項３】
前記連結層が直鎖若しくは分枝鎖アミノシラン、アミノアルコキシシラン、アミノアルキルシラン、アミノアリールシラン、アミノアリールオキシシランまたはそれらの誘導体または塩からなる化合物から誘導される請求項２の支持体。
【請求項４】
前記結合ポリマは、ポリ(ビニル酢酸塩-無水マレイン酸）、ポリ(スチレン-co-無水マレイン酸）、ポリ(イソブチレン-alt-無水マレイン酸）、ポリ(無水マレイン酸-alt-1-オクタデセン）、ポリ(無水マレイン酸-alt-1-テトラデセン）、ポリ(無水マレイン酸-alt-メチルビニルエーテル）、ポリ(トリエチレングリコールメチルビニルエーテル-co-無水マレイン酸）、または、それらの任意の組み合わせからなる請求項1の支持体。
【請求項５】
前記結合ポリマは、ポリ(エチレン-alt-無水マレイン酸）からなる請求項1の支持体。
【請求項６】
前記イオン化可能基に対する前記反応基の比は0.67から3.0である請求項1の支持体。
【請求項７】
検体からなるサンプルのアッセイを実行するための方法であって、
a.検体からなるサンプルで支持体に接触する工程と、
b.結合した検体を検出する工程とを含み、
前記支持体は基体と当該基体に直接または間接的に結合した結合ポリマからなり、
前記結合ポリマが生体分子に結合できる複数の反応基および複数のイオン化可能基を有し、前記イオン化可能基に対する前記反応基の比は0.5から10.0であり、前記結合ポリマは光反応基を含まないことを特徴とする方法。
【請求項８】
アッセイを実行する支持体を作る方法であって、基体に直接または間接的に結合させられる結合ポリマを結合させる工程を有し、前記結合ポリマが生体分子に結合できる複数の反応基および複数のイオン化可能基を有し、前記イオン化可能基に対する前記反応基の比は0.5から10.0であり、前記結合ポリマは光反応基を含まないことを特徴とする方法。
【請求項９】
前記結合ポリマを前記基体に結合することに先だって、遮断薬で一つ以上の反応基を不活性化する請求項８の方法。
【請求項１０】
前記遮断薬が水、アンモニア、2-(2-アミノエトキシ)エチルアルコール、N,N-ジメチルエチレンジアミン、エタノールアミン、エチレンジアミン、ヒドロキシルアミン、メトキシエチルアミン、エチルアミン、イソプロピルアミン、ブチルアミン、プロピルアミン、ヘキシルアミン、2-アミノ-2-メチル-1-プロパノール、2-（2-アミノエチルアミノ）エチルアルコール、2-(2-アミノエトキシ)エタノール、ジメチルエタノールアミン、ジブチルエタノールアミン、1-アミノ-2-プロパノール、ポリエチレングリコール、ポリプロピレングリコール、4,7,10-トリオキサ-1,13 トリデカンジアミン、ポリエチレングリコール若しくはアミン終端ポリエチレングリコール、トリツマ（Trizma）塩酸塩、またはこれらの任意の組み合わせからなる請求項８の方法。
【請求項１１】
アッセイを実行するための支持体を作る方法であって、
a.基体に直接または間接的に結合させられる結合ポリマを結合させる工程と、
b.反応基をイオン化可能基に変え、前記イオン化可能基に対する前記反応基の比が0.5から10.0までとなるようにする工程とを含み、
前記結合ポリマは生体分子に結合可能な複数の反応基を有し、前記結合ポリマは光反応基を含まないことを特徴とする方法。
【国際調査報告】
2009522547.tif 000018
2009522547.tif 000019
2009522547.tif 000020
2009522547.tif 000021